(57)【特許請求の範囲】
【請求項１】
マルチパス伝送制御プロトコル（ＭＰＴＣＰ）リンク情報にしたがって、ＭＰＴＣＰ接続に属する少なくとも１つのＭＰＴＣＰサブリンクを識別し、前記少なくとも１つのＭＰＴＣＰサブリンクから、リンク制御が実行される必要がある第１のＭＰＴＣＰサブリンクを決定し、前記第１のＭＰＴＣＰサブリンクに適用可能な調整方式を決定するように構成された処理ユニットと、
前記ＭＰＴＣＰ接続を使用する２つの通信パーティにインジケーションメッセージを送信するように構成された送信ユニットであって、前記インジケーションメッセージは、前記調整方式を実行するよう前記２つの通信パーティに指示するのに使用される、送信ユニットと
を備え、
前記処理ユニットは、
前記少なくとも１つのＭＰＴＣＰサブリンクに対応する少なくとも１つのネットワークノードの無線リソースステータスが第１の事前設定された条件を満たすかどうかを決定し、前記第１の事前設定された条件を満たさないネットワークノードに対応するＭＰＴＣＰサブリンクから、オペレータ管理および制御ポリシーにしたがって、前記ネットワークノードに対応する少なくとも１つのＭＰＴＣＰサブリンクを前記第１のＭＰＴＣＰサブリンクとして決定するか、または
前記少なくとも１つのＭＰＴＣＰサブリンクのリンク品質ステータスが事前設定された第２の条件を満たすかどうかを決定し、前記事前設定された第２の条件を満たさないＭＰＴＣＰサブリンクから、オペレータ管理および制御ポリシーにしたがって、少なくとも１つのＭＰＴＣＰサブリンクを前記第１のＭＰＴＣＰサブリンクとして決定するように構成され、
前記ネットワークノードは、前記ＭＰＴＣＰサブリンクの伝送パス上に位置付けられ、かつ前記２つの通信パーティの間でデータ通信をサポートするように構成され、
前記処理ユニットは、
前記ネットワークノードの前記無線リソースステータスおよび／または前記ネットワークノードに対応するＭＰＴＣＰサブリンクの前記リンク品質ステータスが、前記ネットワークノードの負荷が第１の事前設定された閾値を超えることを示す場合、前記調整方式が、前記第１のＭＰＴＣＰサブリンクがＴＣＰサブフロー参加プロセスを完了させないようにすることであると決定し、または
前記ＭＰＴＣＰサブリンクの前記リンク品質ステータスが、前記第１のＭＰＴＣＰサブリンクのリンクパフォーマンスが第２の事前設定された閾値より高いことを示し、かつ前記第１のＭＰＴＣＰサブリンクの現在のステータスが、前記第１のＭＰＴＣＰサブリンクが二次リンクであることを示す場合、前記調整方式が前記第１のＭＰＴＣＰサブリンクの優先度を増加させることであると決定するように構成されることを特徴とするリンク制御ノード。
【請求項２】
前記処理ユニット（１０１）は、
リンク調整ポリシーにしたがって、前記第１のＭＰＴＣＰサブリンク、および前記第１のＭＰＴＣＰサブリンクに適用可能な前記調整方式を決定するように構成され、
前記リンク調整ポリシーは、前記第１のＭＰＴＣＰサブリンクを識別するのに使用される第１のＭＰＴＣＰリンク情報と、前記調整方式を示すのに使用されるコマンド情報とを備えることを特徴とする請求項１に記載の制御ノード。
【請求項３】
前記処理ユニットは、
前記第１のＭＰＴＣＰサブリンクを識別するのに使用され、かつ前記リンク調整ポリシーに備えられた前記第１のＭＰＴＣＰリンク情報にしたがって、前記識別されたＭＰＴＣＰサブリンク内で探索を行い、そのＭＰＴＣＰリンク情報が前記第１のＭＰＴＣＰリンク情報と同一であるＭＰＴＣＰサブリンクを前記第１のＭＰＴＣＰサブリンクとして使用することを備えることを特徴とする請求項２に記載の制御ノード。
【請求項４】
前記処理ユニットは、
識別されるべきＭＰＴＣＰサブリンクのＭＰＴＣＰリンク情報を獲得し、前記ＭＰＴＣＰ接続に属するＭＰＴＣＰ一次リンクのＭＰＴＣＰリンク情報にしたがって、前記識別されるべきＭＰＴＣＰサブリンクを前記ＭＰＴＣＰ一次リンクとマッチさせ、前記ＭＰＴＣＰ一次リンクとマッチする識別されるべきＭＰＴＣＰサブリンクを前記識別されたＭＰＴＣＰサブリンクとして決定するように構成されることを特徴とする請求項１乃至３のいずれか一項に記載の制御ノード。
【請求項５】
ＭＰＴＣＰリンク情報テーブルを記憶するように構成されたストレージユニット（１０４）であって、前記ＭＰＴＣＰリンク情報テーブルは、前記ＭＰＴＣＰ一次リンクの前記ＭＰＴＣＰリンク情報を備えるストレージユニットをさらに備え、
前記処理ユニット（１０１）は、前記ＭＰＴＣＰ一次リンクとマッチする前記ＭＰＴＣＰサブリンクの前記ＭＰＴＣＰリンク情報を前記ＭＰＴＣＰリンク情報テーブルに追加し、および前記ＭＰＴＣＰサブリンクの現在のステータス、または前記ＭＰＴＣＰ一次リンクの現在のステータスが変化した場合、前記ＭＰＴＣＰリンク情報テーブルを更新するように構成されることを特徴とする請求項４に記載の制御ノード。
【請求項６】
リンク制御ノードによる、マルチパス伝送制御プロトコル（ＭＰＴＣＰ）リンク情報にしたがって、ＭＰＴＣＰ接続に属する少なくとも１つのＭＰＴＣＰサブリンクを識別することと、
前記リンク制御ノードによる、前記少なくとも１つのＭＰＴＣＰサブリンクから、リンク制御が実行される必要がある第１のＭＰＴＣＰサブリンクを決定し、前記第１のＭＰＴＣＰサブリンクに適用可能な調整方式を決定することと、
前記リンク制御ノードによる、前記ＭＰＴＣＰ接続を使用する２つの通信パーティに、前記調整方式にしたがって前記第１のＭＰＴＣＰサブリンクを調整するよう指示することと
を備え、
前記リンク制御ノードによる、前記少なくとも１つのＭＰＴＣＰサブリンクから、リンク制御が実行される必要がある第１のＭＰＴＣＰサブリンクを前記決定することは、
前記少なくとも１つのＭＰＴＣＰサブリンクに対応する少なくとも１つのネットワークノードの無線リソースステータスが第１の事前設定された条件を満たすかどうかを決定し、前記第１の事前設定された条件を満たさないネットワークノードに対応するＭＰＴＣＰサブリンクから、オペレータ管理および制御ポリシーにしたがって、前記ネットワークノードに対応する少なくとも１つのＭＰＴＣＰサブリンクを前記第１のＭＰＴＣＰサブリンクとして決定すること、または
前記少なくとも１つのＭＰＴＣＰサブリンクのリンク品質ステータスが事前設定された第２の条件を満たすかどうかを決定し、前記事前設定された第２の条件を満たさないＭＰＴＣＰサブリンクから、オペレータ管理および制御ポリシーにしたがって、少なくとも１つのＭＰＴＣＰサブリンクを前記第１のＭＰＴＣＰサブリンクとして決定することを備え、
前記ネットワークノードは、前記ＭＰＴＣＰサブリンクの伝送パス上に位置付けられ、かつ前記２つの通信パーティの間でデータ通信をサポートするように構成され、
前記第１のＭＰＴＣＰサブリンクに適用可能な調整方式を前記決定することは、
前記ネットワークノードの前記無線リソースステータスおよび／または前記ネットワークノードに対応する前記ＭＰＴＣＰサブリンクの前記リンク品質ステータスが、前記ネットワークノードの負荷が第１の事前設定された閾値を超えることを示す場合、前記調整方式が、前記第１のＭＰＴＣＰサブリンクがＴＣＰサブフロー参加プロセスを完了させないようにすることであると決定すること、または
前記ＭＰＴＣＰサブリンクの前記リンク品質ステータスが、前記第１のＭＰＴＣＰサブリンクのリンクパフォーマンスが第２の事前設定された閾値より高いことを示し、かつ前記第１のＭＰＴＣＰサブリンクの現在のステータスが、前記第１のＭＰＴＣＰサブリンクが二次リンクであることを示す場合、前記調整方式が前記第１のＭＰＴＣＰサブリンクの優先度を増加させることであると決定することを備えることを特徴とするリンク制御方法。
【請求項７】
前記リンク制御ノードによる、前記少なくとも１つのＭＰＴＣＰサブリンクから、リンク制御が実行される必要がある第１のＭＰＴＣＰサブリンクを決定し、前記第１のＭＰＴＣＰサブリンクに適用可能な調整方式を前記決定することは、
前記リンク制御ノードによる、リンク調整ポリシーにしたがって、前記第１のＭＰＴＣＰサブリンク、および前記第１のＭＰＴＣＰサブリンクに適用可能な前記調整方式を決定することを備え、
前記リンク調整ポリシーは、前記第１のＭＰＴＣＰサブリンクを識別するのに使用される第１のＭＰＴＣＰリンク情報と、前記調整方式を示すのに使用されるコマンド情報とを備えることを特徴とする請求項６に記載の方法。
【請求項８】
前記リンク制御ノードによる、リンク調整ポリシーにしたがって前記第１のＭＰＴＣＰサブリンクを前記決定することは、
前記第１のＭＰＴＣＰサブリンクを識別するのに使用され、かつ前記リンク調整ポリシーに備えられた前記第１のＭＰＴＣＰリンク情報にしたがって、前記識別されたＭＰＴＣＰサブリンク内で探索を行い、そのＭＰＴＣＰリンク情報が前記第１のＭＰＴＣＰリンク情報と同一であるＭＰＴＣＰサブリンクを前記第１のＭＰＴＣＰサブリンクとして使用することを備えることを特徴とする請求項７に記載の方法。
【請求項９】
前記リンク制御ノードによる、前記ＭＰＴＣＰリンク情報にしたがって、前記ＭＰＴＣＰ接続に属する少なくとも１つのＭＰＴＣＰサブリンクを前記識別することは、
識別されるべきＭＰＴＣＰサブリンクのＭＰＴＣＰリンク情報を獲得し、前記識別されるべきＭＰＴＣＰサブリンクを、前記ＭＰＴＣＰ接続に属するＭＰＴＣＰ一次リンクのＭＰＴＣＰリンク情報にしたがって、前記ＭＰＴＣＰ一次リンクとマッチさせ、前記ＭＰＴＣＰ一次リンクとマッチする識別されるべきＭＰＴＣＰサブリンクを前記識別されたＭＰＴＣＰサブリンクとして決定することを備えることを特徴とする請求項６乃至８のいずれか一項に記載の方法。
【請求項１０】
ＭＰＴＣＰリンク情報テーブルを記憶することであって、前記ＭＰＴＣＰリンク情報テーブルは、前記ＭＰＴＣＰ一次リンクの前記ＭＰＴＣＰリンク情報を備えることと、
前記ＭＰＴＣＰ一次リンクとマッチする前記ＭＰＴＣＰサブリンクの前記ＭＰＴＣＰリンク情報を前記ＭＰＴＣＰリンク情報テーブルに追加することと、
前記ＭＰＴＣＰサブリンクの現在のステータス、または前記ＭＰＴＣＰ一次リンクの現在のステータスが変化した場合、前記ＭＰＴＣＰリンク情報テーブルを更新することと
をさらに備えることを特徴とする請求項９に記載の方法。
【請求項１１】
前記２つの通信パーティのうちの一方はアクセスネットワークにアクセスするユーザ機器（ＵＥ）であり、他方のパーティはサーバであることを特徴とする請求項６乃至１０のいずれか一項に記載の方法。
【請求項１２】
データを配信するための少なくとも１つのコード部を備えるコンピュータプログラムをその上に記録した非一時的機械読み取り可能媒体であって、前記少なくとも１つのコード部は、請求項６乃至１１のいずれか一項に記載の方法を装置に実行させるために前記装置により実行可能であることを特徴とする非一時的機械読み取り可能媒体。
【発明の詳細な説明】
【技術分野】
【０００１】
本発明の実施形態は、通信技術の分野に関し、詳細には、リンク制御ノードおよびリンク制御方法、ならびに通信システムに関する。
【背景技術】
【０００２】
複数のワイヤレスブロードバンドアクセス技術の開発とともに、ユーザ機器（ＵＥ、Ｕｓｅｒ  Ｅｑｕｉｐｍｅｎｔ）は、宛先ノードに対して複数のデータ伝送リンクを有することがある。マルチパス伝送制御プロトコル（ＭＰＴＣＰ、Ｍｕｌｔｉ−Ｐａｔｈ  Ｔｒａｎｓｍｉｓｓｉｏｎ  Ｃｏｎｔｒｏｌ  Ｐｒｏｔｏｃｏｌ）が、従来のＴＣＰプロトコルに基づいて開発されており、ユーザ機器に終端間マルチリンク通信を提供することがあり、リソース共有方式で複数のリンクにサービスデータを配信して、ネットワーク帯域幅を増加させることがある。
【０００３】
終端間プロトコルとして、ＭＰＴＣＰは、通信パーティのパフォーマンスをどのように最適化するかに対してより焦点を当てる。しかし、ＭＰＴＣＰ接続を集中的に管理するため、および制御するための措置は存在せず、ＭＰＴＣＰリンクのステータスは、実行されているシステムの予期される要件により調整されることができず、したがって、無線リソースが、適切に割り当てられることができない。ＭＰＴＣＰプロトコルにおいて定義されるパフォーマンスアルゴリズムは、ワイヤレスネットワークにおいて最良の最適化を実現することもできない。
【発明の概要】
【０００４】
本発明の実施形態は、リンク制御ノードおよびリンク制御方法、ならびに通信システムを提供して、ＭＰＴＣＰ接続を集中的に管理すること、および制御することを行うようにする。
【０００５】
第１の態様によれば、本発明の実施形態が、
マルチパス伝送制御プロトコルＭＰＴＣＰリンク情報により、ＭＰＴＣＰ接続に属するＭＰＴＣＰサブリンクを識別すること、ＭＰＴＣＰサブリンクから、リンク制御が実行される必要がある第１のＭＰＴＣＰサブリンクを決定すること、および第１のＭＰＴＣＰサブリンクに適用可能な調整方式を決定することを行うように構成された処理ユニットと、
ＭＰＴＣＰ接続を使用する２つの通信パーティにインジケーションメッセージを送信することであって、インジケーションメッセージは、調整方式を実行するよう２つの通信パーティに指示するのに使用される、送信することを行うように構成された送信ユニットとを含むリンク制御ノードを提供する。
【０００６】
第１の態様の第１の可能な実施方式に関連して、処理ユニットが、ＭＰＴＣＰサブリンクから、リンク制御が実行される必要がある第１のＭＰＴＣＰサブリンクを決定するように構成されることは、
ＭＰＴＣＰサブリンクに対応するネットワークノードの無線リソースステータスが第１の事前設定された条件を満たすかどうかを決定し、第１の事前設定された条件を満たさないネットワークノードに対応するＭＰＴＣＰサブリンクから、かつオペレータ管理および制御ポリシーにより、ネットワークノードに対応する少なくとも１つのＭＰＴＣＰサブリンクを第１のＭＰＴＣＰサブリンクとして決定すること、または
ＭＰＴＣＰサブリンクのリンク品質ステータスが事前設定された第２の条件を満たすかどうかを決定し、事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを含み、ネットワークノードは、ＭＰＴＣＰサブリンクの伝送パス上に位置付けられ、かつ２つの通信パーティの間でデータ通信をサポートするように構成される。
【０００７】
前述の可能な実施方式のうちのいずれか１つに関連して、第１の態様の第２の可能な実施方式において、処理ユニットが、第１のＭＰＴＣＰサブリンクに適用可能な調整方式を決定するように構成されることは、
ネットワークノードの無線リソースステータスおよび／またはネットワークノードに対応するＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定すること、または
ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定すること、または
ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定することを含む。
【０００８】
前述の可能な実施方式のうちのいずれか１つに関連して、第１の態様の第３の可能な実施方式において、処理ユニットは、リンク調整ポリシーにより、第１のＭＰＴＣＰサブリンク、および第１のＭＰＴＣＰサブリンクに適用可能な調整方式を決定するように構成され、
リンク調整ポリシーは、第１のＭＰＴＣＰサブリンクを識別するのに使用される第１のＭＰＴＣＰリンク情報と、調整方式を示すのに使用されるコマンド情報とを含む。
【０００９】
第１の態様の第３の可能な実施方式に関連して、第１の態様の第４の可能な実施方式において、リンク調整ポリシーは、オペレータ管理および制御ポリシーの少なくとも１つの条件、ＭＰＴＣＰサブリンクに対応するネットワークノードの無線リソースステータス、またはＭＰＴＣＰサブリンクのリンク品質ステータスに基づいて決定される。
【００１０】
第１の態様の第４の可能な実施方式に関連して、第１の態様の第５の可能な実施方式において、制御ノードは、
ＭＰＴＣＰサブリンクに対応するネットワークノードによって報告される測定レポートを受信するように構成された受信ユニットをさらに含み、
処理ユニットが、リンク調整ポリシーを決定するように構成されることは、
測定レポートによって示される、ＭＰＴＣＰサブリンクのリンク品質ステータス、および／またはＭＰＴＣＰサブリンクに対応するネットワークノードの無線リソースステータスにより、かつオペレータ管理および制御ポリシーにより、リンク調整ポリシーを決定することを含む。
【００１１】
第１の態様の第４から第５の可能な実施方式のうちのいずれか１つに関連して、第１の態様の第６の可能な実施方式において、処理ユニットが、リンク調整ポリシーにより第１のＭＰＴＣＰサブリンクを決定するように構成されることは、
識別されたＭＰＴＣＰサブリンクにおいて、第１のＭＰＴＣＰサブリンクを識別するのに使用され、かつリンク調整ポリシーに含められた第１のＭＰＴＣＰリンク情報により探索し、ＭＰＴＣＰリンク情報が第１のＭＰＴＣＰリンク情報と同一であるＭＰＴＣＰサブリンクを第１のＭＰＴＣＰサブリンクとして使用することを含む。
【００１２】
前述の可能な実施方式のうちのいずれか１つに関連して、第１の態様の第７の可能な実施方式において、処理ユニットが、ＭＰＴＣＰリンク情報により、ＭＰＴＣＰ接続に属するＭＰＴＣＰサブリンクを識別するように構成されることは、
識別されるべきＭＰＴＣＰサブリンクのＭＰＴＣＰリンク情報を獲得し、識別されるべきＭＰＴＣＰサブリンクを、ＭＰＴＣＰ接続に属するＭＰＴＣＰ一次リンクのＭＰＴＣＰリンク情報により、ＭＰＴＣＰ一次リンクとマッチさせ、ＭＰＴＣＰ一次リンクとマッチする識別されるべきＭＰＴＣＰサブリンクを識別されたＭＰＴＣＰサブリンクとして決定することを含む。
【００１３】
前述の可能な実施方式のうちのいずれか１つに関連して、第１の態様の第８の可能な実施方式において、処理ユニットは、ＭＰＴＣＰ接続を使用する２つの通信パーティの通信プロセスにおいて交換されるシグナリングを解析して、ＭＰＴＣＰリンク情報を獲得するようにさらに構成される。
【００１４】
第２の態様によれば、本発明の実施形態が、
リンク調整ポリシーを決定することであって、リンク調整ポリシーは、ネットワークノードに対応し、かつＭＰＴＣＰ接続に属するマルチパス伝送制御プロトコルＭＰＴＣＰサブリンクから、リンク制御が実行される必要がある第１のＭＰＴＣＰサブリンクを決定し、第１のＭＰＴＣＰサブリンクに適用可能な調整方式を決定するように指示するのに使用されることを行うように構成された処理ユニットと、
リンク調整ポリシーをリンク制御ノードに送信するように構成された送信ユニットとを含むネットワークノードを提供し、
ネットワークノードは、ＭＰＴＣＰサブリンクの伝送パス上に位置付けられ、かつＭＰＴＣＰ接続を使用する２つの通信パーティの間でデータ通信をサポートするように構成される。
【００１５】
第２の態様の第１の可能な実施方式において、リンク調整ポリシーは、第１のＭＰＴＣＰサブリンクを識別するのに使用される第１のＭＰＴＣＰリンク情報と、調整方式を示すのに使用されるコマンド情報とを含む。
【００１６】
前述の可能な実施方式のうちのいずれか１つに関連して、第２の態様の第２の可能な実施方式において、処理ユニットが、リンク調整ポリシーを決定するように構成されることは、
ネットワークノードの無線リソースステータスが第１の事前設定された条件を満たすかどうかを決定し、ネットワークノードの無線リソースステータスが第１の事前設定された条件を満たさない場合、かつオペレータ管理および制御ポリシーにより、ネットワークノードに対応する少なくとも１つのＭＰＴＣＰサブリンクを第１のＭＰＴＣＰサブリンクとして決定すること、または
ＭＰＴＣＰサブリンクのリンク品質ステータスが事前設定された第２の条件を満たすかどうかを決定し、事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを含む。
【００１７】
前述の可能な実施方式のうちのいずれか１つに関連して、第２の態様の第３の可能な実施方式において、処理ユニットが、リンク調整ポリシーを決定するように構成されることは、
ネットワークノードの無線リソースステータスおよび／またはＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定すること、または
ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定すること、または
ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定することを含む。
【００１８】
前述の可能な実施方式のうちのいずれか１つに関連して、第２の態様の第４の可能な実施方式において、処理ユニットは、ＭＰＴＣＰ接続を使用する２つの通信パーティの通信プロセスにおいて交換されるシグナリングを解析して、ＭＰＴＣＰサブリンクのＭＰＴＣＰリンク情報を獲得するようにさらに構成される。
【００１９】
第３の態様によれば、本発明の実施形態が、
リンク制御ノードによる、マルチパス伝送制御プロトコルＭＰＴＣＰリンク情報により、ＭＰＴＣＰ接続に属するＭＰＴＣＰサブリンクを識別することと、
リンク制御ノードによる、ＭＰＴＣＰサブリンクから、リンク制御が実行される必要がある第１のＭＰＴＣＰサブリンクを決定し、第１のＭＰＴＣＰサブリンクに適用可能な調整方式を決定することと、
リンク制御ノードによる、ＭＰＴＣＰ接続を使用する２つの通信パーティに、調整方式により第１のＭＰＴＣＰサブリンクを調整するよう指示することとを含むリンク制御方法を提供する。
【００２０】
第３の態様の第１の可能な実施方式において、リンク制御ノードによる、ＭＰＴＣＰサブリンクから、リンク制御が実行される必要がある第１のＭＰＴＣＰサブリンクを決定することは、
ＭＰＴＣＰサブリンクに対応するネットワークノードの無線リソースステータスが第１の事前設定された条件を満たすかどうかを決定し、第１の事前設定された条件を満たさないネットワークノードに対応するＭＰＴＣＰサブリンクから、かつオペレータ管理および制御ポリシーにより、ネットワークノードに対応する少なくとも１つのＭＰＴＣＰサブリンクを第１のＭＰＴＣＰサブリンクとして決定すること、または
ＭＰＴＣＰサブリンクのリンク品質ステータスが事前設定された第２の条件を満たすかどうかを決定し、事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを含み、ネットワークノードは、ＭＰＴＣＰサブリンクの伝送パス上に位置付けられ、かつ２つの通信パーティの間でデータ通信をサポートするように構成される。
【００２１】
前述の可能な実施方式のうちのいずれか１つに関連して、第３の態様の第２の可能な実施方式において、第１のＭＰＴＣＰサブリンクに適用可能な調整方式を決定することは、
ネットワークノードの無線リソースステータスおよび／またはネットワークノードに対応するＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定すること、または
ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定すること、または
ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定することを含む。
【００２２】
前述の可能な実施方式のうちのいずれか１つに関連して、第３の態様の第３の可能な実施方式において、リンク制御ノードによる、ＭＰＴＣＰサブリンクから、リンク制御が実行される必要がある第１のＭＰＴＣＰサブリンクを決定し、第１のＭＰＴＣＰサブリンクに適用可能な調整方式を決定することは、
リンク制御ノードによる、リンク調整ポリシーにより、第１のＭＰＴＣＰサブリンク、および第１のＭＰＴＣＰサブリンクに適用可能な調整方式を決定することを含み、
リンク調整ポリシーは、第１のＭＰＴＣＰサブリンクを識別するのに使用される第１のＭＰＴＣＰリンク情報と、調整方式を示すのに使用されるコマンド情報とを含む。
【００２３】
第３の態様の第３の可能な実施方式に関連して、第３の態様の第４の可能な実施方式において、リンク調整ポリシーは、オペレータ管理および制御ポリシーの少なくとも１つの条件、ＭＰＴＣＰサブリンクに対応するネットワークノードの無線リソースステータス、またはＭＰＴＣＰサブリンクのリンク品質ステータスに基づいて決定される。
【００２４】
第３の態様の第４の可能な実施方式に関連して、第３の態様の第５の可能な実施方式において、リンク制御ノードによる、リンク調整ポリシーを決定することは、リンク制御ノードによる、ＭＰＴＣＰサブリンクに対応するネットワークノードによって報告される測定レポートを受信し、測定レポートによって示される、ＭＰＴＣＰサブリンクのリンク品質ステータス、および／またはＭＰＴＣＰサブリンクに対応するネットワークノードの無線リソースステータスにより、かつオペレータ管理および制御ポリシーにより、リンク調整ポリシーを決定することを含む。
【００２５】
第３の態様の第４から第５の可能な実施方式に関連して、第３の態様の第６の可能な実施方式において、リンク制御ノードによる、リンク調整ポリシーにより第１のＭＰＴＣＰサブリンクを決定することは、
識別されたＭＰＴＣＰサブリンクにおいて、第１のＭＰＴＣＰサブリンクを識別するのに使用され、かつリンク調整ポリシーに含められた第１のＭＰＴＣＰリンク情報により探索し、ＭＰＴＣＰリンク情報が第１のＭＰＴＣＰリンク情報と同一であるＭＰＴＣＰサブリンクを第１のＭＰＴＣＰサブリンクとして使用することを含む。
【００２６】
前述の可能な実施方式のうちのいずれか１つに関連して、第３の態様の第７の可能な実施方式において、ＭＰＴＣＰリンク情報により、ＭＰＴＣＰ接続に属するＭＰＴＣＰサブリンクを識別することは、識別されるべきＭＰＴＣＰサブリンクのＭＰＴＣＰリンク情報を獲得し、識別されるべきＭＰＴＣＰサブリンクを、ＭＰＴＣＰ接続に属するＭＰＴＣＰ一次リンクのＭＰＴＣＰリンク情報により、ＭＰＴＣＰ一次リンクとマッチさせ、ＭＰＴＣＰ一次リンクとマッチする識別されるべきＭＰＴＣＰサブリンクを識別されたＭＰＴＣＰサブリンクとして決定することを含む。
【００２７】
前述の可能な実施方式のうちのいずれか１つに関連して、第３の態様の第８の可能な実施方式において、方法は、ＭＰＴＣＰ接続を使用する２つの通信パーティの通信プロセスにおいて交換されるシグナリングを解析して、ＭＰＴＣＰリンク情報を獲得することをさらに含む。
【００２８】
第４の態様によれば、本発明の実施形態が、
ネットワークノードによる、リンク調整ポリシーを決定することであって、リンク調整ポリシーは、ネットワークノードに対応し、かつＭＰＴＣＰ接続に属するマルチパス伝送制御プロトコルＭＰＴＣＰサブリンクから、リンク制御が実行される必要がある第１のＭＰＴＣＰサブリンクを決定するように指示するのに使用され、および第１のＭＰＴＣＰサブリンクに適用可能な調整方式を決定することと、
ネットワークノードによる、リンク調整ポリシーをリンク制御ノードに送信することとを含むリンク制御方法を提供し、
ネットワークノードは、ＭＰＴＣＰサブリンクの伝送パス上に位置付けられ、かつＭＰＴＣＰ接続を使用する２つの通信パーティの間でデータ通信をサポートするように構成される。
【００２９】
第４の態様の第１の可能な実施方式において、リンク調整ポリシーは、第１のＭＰＴＣＰサブリンクを識別するのに使用される第１のＭＰＴＣＰリンク情報と、調整方式を示すのに使用されるコマンド情報とを含む。
【００３０】
前述の可能な実施方式のうちのいずれか１つに関連して、第４の態様の第２の可能な実施方式において、ネットワークノードによる、リンク調整ポリシーを決定することは、
ネットワークノードの無線リソースステータスが第１の事前設定された条件を満たすかどうかを決定し、ネットワークノードの無線リソースステータスが第１の事前設定された条件を満たさない場合、かつオペレータ管理および制御ポリシーにより、ネットワークノードに対応する少なくとも１つのＭＰＴＣＰサブリンクを第１のＭＰＴＣＰサブリンクとして決定すること、または
ＭＰＴＣＰサブリンクのリンク品質ステータスが事前設定された第２の条件を満たすかどうかを決定し、事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを含む。
【００３１】
前述の可能な実施方式のうちのいずれか１つに関連して、第４の態様の第３の可能な実施方式において、ネットワークノードによる、リンク調整ポリシーを決定することは、
ネットワークノードの無線リソースステータスおよび／またはＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定すること、または
ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定すること、または
ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定することを含む。
【００３２】
前述の可能な実施方式のうちのいずれか１つに関連して、第４の態様の第４の可能な実施方式において、方法は、ＭＰＴＣＰ接続を使用する２つの通信パーティの通信プロセスにおいて交換されるシグナリングを解析して、ＭＰＴＣＰサブリンクのＭＰＴＣＰリンク情報を獲得することをさらに含む。
【００３３】
本発明の実施形態において提供される技術的ソリューションで、リンク調整に適切であるＭＰＴＣＰサブリンクが、適切に選択されることがあり、かつその調整方式が決定されることがある。ＭＰＴＣＰ接続上で集中化された管理および制御措置を追加することによって、各ＭＰＴＣＰサブリンク上のデータ伝送プロセスが、システムの実行要件に適応する、予期される通信リンク上で実行されることができる。したがって、無線リソースが、適切に割り当てられることができ、システムパフォーマンスを向上することができる。さらに、本発明の実施形態において提供されるリンク制御ノードは、アクセスネットワーク側で柔軟に配置されて、ＭＰＴＣＰ接続を効果的に管理すること、および制御することを行うことがある。
【図面の簡単な説明】
【００３４】
本発明の実施形態における技術的ソリューションをより明確に説明するのに、以下が、実施形態を説明するために要求される添付の図面を簡単に説明する。明らかに、以下の説明における添付の図面は、本発明のいくつかの実施形態を示すに過ぎず、当業者は、それでも、独創的な取組みなしにこれらの添付の図面から他の図面を導き出し得る。
【図１】ＭＰＴＣＰプロトコルスタックを示す概略図である。
【図２】本発明の実施形態のアプリケーションシナリオを示す概略図である。
【図３】本発明の実施形態の別のアプリケーションシナリオを示す概略図である。
【図４】初期ＭＰＴＣＰ接続確立プロセスおよびＴＣＰサブフロー作成プロセスを示すシグナリングフローチャートである。
【図５】本発明の実施形態によるリンク制御ノードを示す概略ブロック図である。
【図６】本発明の実施形態によるネットワークノードを示す概略ブロック図である。
【図７】本発明の実施形態による別のリンク制御ノードを示す概略ブロック図である。
【図８】本発明の実施形態による別のネットワークノードを示す概略ブロック図である。
【図９】本発明の実施形態によるリンク制御方法を示す概略フローチャートである。
【図１０】本発明の実施形態によるＭＰＴＣＰサブリンク識別方法を示す概略フローチャートである。
【図１１】本発明の実施形態による別のリンク制御方法を示す概略フローチャートである。
【図１２】本発明の実施形態による通信システムを示す概略図である。
【発明を実施するための形態】
【００３５】
本発明の目的、技術的ソリューション、および利点をより明確にするのに、以下が、添付の図面を参照して本発明の実施方式を詳細にさらに説明する。
【００３６】
本明細書において説明される技術は、現在の２Ｇ通信システムおよび３Ｇ通信システム、ならびに次世代通信システムなどの様々な通信システムに適用され得る。例えば、グローバルシステムフォーモバイルコミュニケーションズ（ＧＳＭ（登録商標）、Ｇｌｏｂａｌ  Ｓｙｓｔｅｍ  ｆｏｒ  Ｍｏｂｉｌｅ  Ｃｏｍｍｕｎｉｃａｔｉｏｎｓ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、時分割多元接続（ＴＤＭＡ、Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ、Ｌｏｎｇ  Ｔｅｒｍ  Ｅｖｏｌｕｔｉｏｎ）システムおよび後続の発展型システム、ワイヤレスローカルエリアネットワーク（ＷＬＡＮ、Ｗｉｒｅｌｅｓｓ  Ｌｏｃａｌ  Ａｒｅａ  Ｎｅｔｗｏｒｋ）、および他のワイヤレスブロードバンドアクセスネットワークである。
【００３７】
本発明の実施形態において説明されるネットワークノードは、アクセスネットワークにおけるアクセスデバイスを指すことに留意されたい。例えば、ネットワークノードは、ＧＳＭもしくはＣＤＭＡにおけるベーストランシーバ基地局（ＢＴＳ、Ｂａｓｅ  Ｔｒａｎｓｃｅｉｖｅｒ  Ｓｔａｔｉｏｎ）であることがあり、またはＷＣＤＭＡにおけるノードＢ（ＮｏｄｅＢ）であることがあり、またはＬＴＥにおける発展型ノードＢ（ｅ−ＮｏｄｅＢ、ｅｖｏｌｖｅｄ  ＮｏｄｅＢ）であることがあり、またはＷＬＡＮにおけるアクセスポイント（ＡＰ、Ａｃｃｅｓｓ  Ｐｏｉｎｔ）であることがあり、または別の通信システムもしくはワイヤレスネットワークシステムにおける類似した機能を有するネットワーク要素であることがあり、本発明の実施形態に限定されない。ネットワークノードは、アクセス制御デバイスであることがあり、例えば、ＧＳＭもしくはＣＤＭＡにおける基地局コントローラ（ＢＳＣ、Ｂａｓｅ  Ｓｔａｔｉｏｎ  Ｃｏｎｔｒｏｌｌｅｒ）であることがあり、またはＷＣＤＭＡにおける無線ネットワークコントローラ（ＲＮＣ、Ｒａｄｉｏ  Ｎｅｔｗｏｒｋ  Ｃｏｎｔｒｏｌｌｅｒ）であることがあり、またはＷＬＡＮにおけるアクセスコントローラ（ＡＣ、Ａｃｃｅｓｓ  Ｃｏｎｔｒｏｌｌｅｒ）であることがあり、または類似した機能を有する別のネットワーク要素であることがあり、これは本発明の実施形態に限定されない。
【００３８】
本発明の実施形態において言及されるリンク制御ノードは、ＭＰＴＣＰデータ伝送を管理すること、および制御することを行うように構成された、アクセスネットワーク側のユニットを指すことに留意されたい。リンク制御ノードが配置されるロケーションは、限定されない。リンク制御ノードは、個々に配置されることがあり、またはネットワーク管理システム、アクセス制御デバイス、およびアクセスデバイスと一緒に配置されることがある。言い換えると、制御ノードは、スタンドアロンのデバイスであることがあり、または別の通信デバイス上に配置されることがあり、これは本発明の実施形態に限定されない。
【００３９】
例えば、リンク制御ノードは、制御ユニットの役割をして、かつ前述のＢＳＣ、ＲＮＣ、ＡＣ、または別のアクセス制御デバイスの上に配置されることがある。あるいは、リンク制御ノードは、制御ユニットの役割をして、かつ前述のＢＴＳ、ノードＢ、ｅノードＢ、ＡＰ、または別のアクセスデバイスの上に配置されてよい。別の例に関して、リンク制御ノードは、個別に配置されるデバイスであることがあり、ネットワークノードの役割をする前述の基地局デバイスもしくは基地局コントローラと情報を交換することができる。
【００４０】
本発明の実施形態において言及されるユーザ機器（ＵＥ、Ｕｓｅｒ  Ｅｑｕｉｐｍｅｎｔ）は、モバイル電話、ワイヤレス通信機能を有するパーソナルコンピュータ、または同様のものなどの、データ伝送を実行するようにワイヤレス方式でアクセスネットワークにアクセスするユーザ機器であり得る。本発明の実施形態において、アクセスユーザとは、アクセスネットワークを使用することによって通信ネットワークに成功裡にアクセスするＵＥに対応する、アクセスネットワークにおける論理オブジェクトを指す。ＭＰＴＣＰ接続のパーティの役割をするＵＥが、通信ネットワークにアクセスし、実際の通信を実行する場合、ＵＥは、アクセスユーザと見なされ得る。特に、異なる通信ネットワークにアクセスし、かつ異なる通信ネットワークにおけるＴＣＰサブフローを有する同一のＵＥは、対応する通信ネットワークにおける異なるアクセスユーザに対応し、かつ対応する通信ネットワークにおいてそれぞれのユーザ識別子を有する。例えば、ＵＥが、３ＧＰＰネットワークにおいて無線リンクを有し、ＵＥは、３ＧＰＰネットワークにおけるアクセスユーザに対応する。アクセスユーザは、国際モバイル加入者識別子（ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｔｙ）、もしくはグローバル固有一時識別子（ＧＵＴＩ、Ｇｌｏｂａｌｌｙ  Ｕｎｉｑｕｅ  Ｔｅｍｐｏａｒｙ  Ｉｄｅｎｔｉｔｙ）、もしくはグローバルセル識別子（ＧＣＩ、Ｇｌｏｂａｌ  Ｃｅｌｌ  Ｉｄｅｎｔｉｔｙ）とセルにおけるユーザ識別子を組み合わせる方法、または別の方法を使用することによって識別され得る。ＵＥは、ＷＬＡＮネットワークにおいて無線リンクを有し、ＵＥは、ＷＬＡＮネットワークにおけるアクセスユーザに対応する。アクセスユーザは、ＭＡＣアドレスもしくはＡＰ  ＩＤとＩＰアドレスを組み合わせる、またはＡＣ  ＩＤをＩＰアドレスと組み合わせる、またはサービスセット識別子（ＳＳＩＤ、Ｓｅｒｖｉｃｅ  Ｓｅｔ  Ｉｄｅｎｔｉｆｉｅｒ）をＩＰアドレスと組み合わせる方法を使用することによって識別され得る。
【００４１】
本発明の実施形態において説明されるアクセスネットワークは、ＢＴＳおよびＢＳＣ、またはノードＢもしくはＲＮＣ、またはｅノードＢなどのデバイスによって構成される無線アクセスネットワーク（ＲＡＮ、Ｒａｄｉｏ  Ａｃｃｅｓｓ  Ｎｅｔｗｏｒｋ）を含み、ＡＰおよびＡＣなどのデバイスによって構成されるブロードバンドアクセスネットワークも含むことに留意されたい。ＡＣは、ＲＮＣと統合され得る。すなわち、ＡＣの機能は、ＲＮＣに統合されてよく、ＲＮＣがＡＰと通信する。
【００４２】
図１は、ＭＰＴＣＰプロトコルスタックの概略図である。標準ＴＣＰ（ｓｔａｎｄａｒｄ  ＴＣＰ）に関して、ＭＰＴＣＰプロトコルスタックは、ＴＣＰ層を、主としてＭＰＴＣＰ層とＴＣＰサブフロー（ＴＣＰ  Ｓｕｂｆｌｏｗ）層に分類する。ＭＰＴＣＰプロトコルスタックは、複数のＴＣＰリンクを確立することと等価である、複数のＴＣＰサブフローを確立すること、ＭＰＴＣＰ層により、複数のＴＣＰサブフローに関するデータをオフロードすること、もしくは集中させることなどの処理を行うことを含む、以下の方式で同時のデータ伝送を実施する。ＴＣＰサブフローは、特定の伝送パス（Ｐａｔｈ）上で伝送されるＴＣＰデータフローである。伝送パスとは、ＭＰＴＣＰ接続の２つの通信パーティの間のチャネルを指し、２つの通信パーティの対応するＩＰアドレス、および／または２つの通信パーティの対応するポート番号（Ｐｏｒｔ）などの、２つの通信パーティのうちの一方のパーティおよび他のパーティの対応するアドレスによって識別され得る。各ＴＣＰサブフローは、対応する伝送パスを有する。ＴＣＰサブフローとＴＣＰサブフローが属するＭＰＴＣＰ接続とは、トークン（Ｔｏｋｅｎ）を使用することによって関連付けられる。トークンは、ＭＰＴＣＰ接続の識別子であり、１つの通信パーティにおいてローカルで一意であるに過ぎない、すなわち、トークンは、初期ＭＰＴＣＰ接続確立プロセスを開始すること、およびそのプロセスに応答することを行うパーティの各々によって生成される。トークンは、ＭＰＴＣＰ接続ＩＤ（ＭＰＴＣＰ  Ｃｏｎｎｅｃｔｉｏｎ  ＩＤ）と見なされ得る。
【００４３】
ＴＣＰサブフローを確立するシーケンスによれば、初期ＭＰＴＣＰ接続確立プロセスにおいて確立されるＴＣＰサブフローは、ＭＰＴＣＰ一次リンクと呼ばれ、サブフロー参加プロセスにおいて確立されるＴＣＰサブフローは、ＭＰＴＣＰサブリンクと呼ばれる。各ＭＰＴＣＰ接続は、１つのＭＰＴＣＰ一次リンクと、少なくとも１つのＭＰＴＣＰサブリンクとを含む。ＭＰＴＣＰ一次リンクだけしか存在しない場合、ＭＰＴＣＰ一次リンクは、一般的なＴＣＰリンクと等価である。
【００４４】
ＭＰＴＣＰは、終端間プロトコルである。したがって、２つの通信パーティは、初期ＭＰＴＣＰ接続を確立すること、およびＭＰＴＣＰサブリンクを追加すること、または削除することなどの機能を完了するのに制御シグナリングを交換する必要がある。制御シグナリングは、ＴＣＰオプション（ＴＣＰ  Ｏｐｔｉｏｎ）フィールドを介して伝送される。すなわち、オプションフィールドに特別な値が追加される。
【００４５】
図２は、本発明の実施形態のアプリケーションシナリオの概略図である。図２に示されるとおり、ＵＥとサーバの間のＭＰＴＣＰ接続が、２つのＴＣＰサブフローを有する。一方のＴＣＰサブフローが、ＬＴＥリンク上で伝送される。ＬＴＥリンクは、アクセスネットワーク側ノードであるｅノードＢと、コアネットワーク側ノードである独立のサービスゲートウェイ（ＳＧＷ、Ｓｅｒｖｉｃｅ  Ｇａｔｅｗａｙ）と、パケットデータネットワークゲートウェイ（ＰＧＷ、Ｐａｃｋｅｔ  Ｄａｔａ  Ｎｅｔｗｏｒｋ  Ｇａｔｅｗａｙ）とを含む。他のＴＣＰサブフローは、Ｗｉ−Ｆｉリンク上で伝送される。Ｗｉ−Ｆｉリンクは、アクセスネットワーク側のネットワークノードＡＰおよびＡＣと、コアネットワーク側ノードであるブロードバンド遠隔アクセスサーバ（ＢＲＡＳ、Ｂｒｏａｄｂａｎｄ  Ｒｅｍｏｔｅ  Ａｃｃｅｓｓ  Ｓｅｒｖｅｒ）とを含む。図２に示される本発明のこの実施形態において提供されるリンク制御ノードは、個別に配置されてよく、ｅノードＢとＡＣに対してリンク接続を別々に有して、情報を交換する。ｅノードＢとＡＰは、リンク制御ノードに、ＭＰＴＣＰリンク情報を搬送するＴＣＰデータパケットを別々に転送することがある。リンク制御ノードは、ＭＰＴＣＰリンク情報によりＭＰＴＣＰリンクの関係付けられたアドレス情報および現在のステータスを獲得する。さらに、リンク制御ノードは、オペレータポリシー、またはアクセスユーザがアクセスするネットワークノードの無線リソースステータス、またはアクセスユーザが位置付けられた通信リンクのステータス、または別の条件により、ＭＰＴＣＰサブリンクに関する調整ポリシーを決定することがある。
【００４６】
図３は、本発明の実施形態の別のアプリケーションシナリオの概略図である。図３に示されるアプリケーションシナリオと図２に示されるアプリケーションシナリオとの違いは、リンク制御ノードが、ＵＥとサーバの間のＭＰＴＣＰリンク上の伝送チャネル上に配置されることである。リンク制御ノードは、ＭＰＴＣＰリンク上で伝送されるシグナリングまたはデータを直接リッスンして、キャプチャすることができる。他の装置の配置は、図２に示されるアプリケーションシナリオと同様であり、詳細は本明細書で説明されない。
【００４７】
ＴＣＰサブフローを担う無線リンクは、同一のタイプであること、または異なるタイプであることがあることに留意されたい。ＭＰＴＣＰ接続は、２つのＴＣＰサブフローを含むものと想定される。２つのＴＣＰサブフローはともに、ＬＴＥリンク上で確立され得る。あるいは、一方のＴＣＰサブフローが、ＬＴＥリンク上で確立され、他のＴＣＰサブフローが、Ｗｉ−Ｆｉリンク上で確立される。同一のＭＰＴＣＰ接続によって含まれるＴＣＰサブフローの量、およびリンクタイプは、本発明のこの実施形態において特に限定されず、実際のネットワーク実行要件により決定され得る。
【００４８】
図４は、初期ＭＰＴＣＰ接続確立プロセスおよびＴＣＰサブフロー作成プロセスのシグナリングフローチャートである。初期ＭＰＴＣＰ接続確立プロセスは、ＭＰＴＣＰ接続に属する第１のＴＣＰサブフローを確立すること、および３つのハンドシェークプロセスの後、ＭＰＴＣＰ接続を確立することを含む。このプロセスは、ＴＣＰ  ＳＹＮパケット、ＳＹＮ／ＡＣＫパケット、およびＡＣＫパケットがＭＰ−ＣＡＰＡＢＬＥオプションを搬送し、このオプションが、６４ビットキー値（ｋｅｙ）を搬送するという点で一般的なＴＣＰ接続を確立するプロセスとは異なる。
【００４９】
初期ＭＰＴＣＰ接続確立プロセスが完了された後、ＭＰＴＣＰ接続のいずれのパーティも、そのパーティによって使用されないアドレス、および他のパーティによって使用されないアドレスを使用して、ＴＣＰサブフローを作成してよい。そのパーティによって使用されないアドレス、および他のパーティによって使用されないアドレスは、利用可能なアドレスのペアと呼ばれる。図４に示されるとおり、ＴＣＰサブフローＡ２＜−＞Ｂ１が、ホストＡとホストＢとの間で作成される。Ａ２は、ホストＡの利用可能なアドレスであり、Ｂ１は、ホストＢの利用可能なアドレスである。ＭＰ＿ＪＯＩＮオプションが、ＴＣＰサブフロー作成プロセスにおいて搬送されて、図４における最後の４つのステップの信号交換プロセスを完了する。ＴＣＰ  ＳＹＮパケットにおいて搬送されるＭＰ＿ＪＯＩＮオプションは、３２ビットトークンと、３２ビット乱数と、ＡＤＤＲＥＳＳ＿ＩＤと、バックアップ識別子とを含む。Ｔｏｋｅｎ−Ｂは、プロセスに応答するパーティの６４ビットキー値を使用することによって、かつハッシュアルゴリズムなどの暗号化アルゴリズムを使用することによってサブフロー参加プロセスを開始するパーティによって生成される３２ビット値である。サブフロー参加プロセスを開始するパーティは、ＴＣＰ  ＳＹＮパケットにおいてこのパラメータを搬送することによって、サブフローがいずれのＭＰＴＣＰ接続に参加することになっているかを識別する。サブフロー参加プロセスを開始するパーティによってＴＣＰ  ＳＹＮパケットにおいて搬送される３２ビット乱数Ｒ−Ａ、およびサブフロー参加プロセスに応答するパーティによってＳＹＮ／ＡＣＫパケットにおいて搬送される３２ビット乱数Ｒ−Ｂが、サブフロー作成プロセスのセキュリティをさらに確実にするのに使用される。ＡＤＤＲＥＳＳ＿ＩＤは、１つの通信パーティにおいてローカルで有効であり、一意であるに過ぎない。サブフロー参加プロセスを開始するパーティによってＴＣＰ  ＳＹＮパケットにおいて搬送されるＡＤＤＲＥＳＳ＿ＩＤが、サブフロー参加プロセスを開始するパーティによって使用される、現在、新たに作成されているＴＣＰサブフローにおけるＩＰアドレスを識別するのに使用される。サブフロー参加プロセスに応答するパーティによってＳＹＮ／ＡＣＫパケットにおいて搬送されるＡＤＤＲＥＳＳ＿ＩＤが、サブフロー参加プロセスに応答するパーティによって使用される、現在、新たに作成されているＴＣＰサブフローにおけるＩＰアドレスを識別するのに使用される。バックアップ識別子ビットは、情報を送信するパーティが、他のパーティがＴＣＰサブフローをバックアップとして使用することを要求するかどうかを示すのに使用される。バックアップ識別子ビットが１に設定される場合、情報を送信するパーティは、他のパーティに、利用可能なサブフローが存在しない、すなわち、サブフローのバックアップ識別子ビットが０である場合に限り、バックアップ識別子ビットが１であるバックアップサブフロー上でデータを送信するよう要求する。例えば、ＴＣＰサブフローを開始するパーティ、ホストＡによってＳＹＮパケットにおいて搬送されるバックアップ識別子ビットは、ホストＡが、ホストＢが���ＣＰサブフローをバックアップとして使用することを要求するかどうかを示すのに使用される。ＴＣＰサブフローに応答するパーティ、ホストＢによってＳＹＮ／ＡＣＫパケットにおいて搬送されるバックアップ識別子ビットは、ホストＢが、ホストＡがＴＣＰサブフローをバックアップとして使用することを要求するかどうかを示すのに使用される。
【００５０】
本発明の実施形態が、リンク制御ノードを提供する。リンク制御ノードは、アクセスネットワーク側に位置付けられ、かつ図２または図３に示されるアプリケーションシナリオに適用可能であることがある。
【００５１】
図５は、リンク制御ノードの概略ブロック図を示す。リンク制御ノードは、処理ユニット１０１と、送信ユニット１０２とを含む。
【００５２】
処理ユニット１０１は、マルチパス伝送制御プロトコルＭＰＴＣＰリンク情報により、ＭＰＴＣＰ接続に属するＭＰＴＣＰサブリンクを識別すること、ＭＰＴＣＰサブリンクから、リンク制御が実行される必要がある第１のＭＰＴＣＰサブリンクを決定すること、および第１のＭＰＴＣＰサブリンクに適用可能な調整方式を決定することを行うように構成される。
【００５３】
送信ユニット１０２は、ＭＰＴＣＰ接続を使用する２つの通信パーティにインジケーションメッセージを送信することであって、インジケーションメッセージは、調整方式を実行するよう２つの通信パーティに指示するのに使用される、送信することを行うように構成される。
【００５４】
ＭＰＴＣＰ接続の２つの通信パーティは、無線インターフェース上のアップリンクデータ伝送プロセスまたはダウンリンクデータ伝送プロセスにおける２つの終端における通信デバイスであることがある。いずれかのパーティが、ＭＰＴＣＰ接続に関係付けられたプロセスを開始する、またはそのようなプロセスに応答することがある。関係付けられたプロセスは、初期ＭＰＴＣＰ接続確立プロセス、ＴＣＰサブフロー参加プロセス、ＴＣＰサブフロー削除プロセス、ＴＣＰサブフロー優先度更新プロセス、および同様のものを含む。例えば、無線アクセスポイントにアクセスするＵＥが、初期ＭＰＴＣＰ接続確立プロセスを開始し、コアネットワーク側のサーバが、プロセスに応答する。ＵＥとサーバとが、ＭＰＴＣＰ接続の２つの通信パーティである。同様に、サーバが、初期ＭＰＴＣＰ接続確立プロセスを開始することがあり、ＵＥが、プロセスに応答する。
【００５５】
初期ＭＰＴＣＰ接続確立プロセスを開始する、またはそのようなプロセスに応答するパーティが、ＭＰＴＣＰ一次リンクを開始する、またはそのようなリンクに応答するパーティであることに留意されたい。ＴＣＰサブフロー参加プロセスを開始する、またはそのようなプロセスに応答するパーティが、ＭＰＴＣＰサブリンクを開始する、またはそのようなサブリンクに応答するパーティである。後続のデータ伝送プロセスにおいて送信パーティ間、または受信パーティ間の対応は存在しない。例えば、初期ＭＰＴＣＰ接続確立プロセスを開始するパーティとそのようなプロセスに応答するパーティはともに、ＴＣＰサブフロー参加プロセスを開始するパーティの役割をすることがある。初期ＭＰＴＣＰ接続確立プロセスを開始するパーティ、またはそのようなプロセスに応答するパーティのいずれも、またはＴＣＰサブフロー参加プロセスを開始するパーティ、またはそのようなプロセスに応答するパーティのいずれも、他のパーティにデータを送信することがある。
【００５６】
ＭＰＴＣＰリンク情報とは、ＭＰＴＣＰ接続に関係付けられた情報を指し、ＭＰＴＣＰ一次リンクおよび／またはＭＰＴＣＰサブリンクのアドレス情報を含むことがある。例えば、アドレス情報は、ＭＰＴＣＰ一次リンクを開始するパーティ、およびそのようなリンクに応答するパーティのＩＰアドレス、ポート番号、およびトークン、ならびにＭＰＴＣＰサブリンクを開始するパーティ、およびそのようなサブリンクに応答するパーティのＩＰアドレスおよびポート番号を含む。１つのＭＰＴＣＰ接続が、ＭＰＴＣＰ一次リンクのパーティのＩＰアドレス、ポート番号、およびトークンにより一意に識別され得る。１つのＴＣＰサブフローが、ＭＰＴＣＰサブリンクのパーティのＩＰアドレスおよびポート番号によって一意に識別され得る。ＴＣＰサブフロー、すなわち、ＭＰＴＣＰサブリンクは、完全には確立されていないが、ＴＣＰサブフロー参加プロセスのパーティがいくらかのシグナリングを交換しているＴＣＰサブフローであること、または確立されているＴＣＰサブフローであることがある。
【００５７】
ＭＰＴＣＰリンク情報は、ＭＰＴＣＰ一次リンクおよび／またはＭＰＴＣＰサブリンクのステータス情報をさらに含むことがある。ステータス情報は、確立されたＭＰＴＣＰサブリンクの現在のステータスを示すのに使用される。例えば、ＭＰＴＣＰリンク情報は、一次リンクもしくはサブリンクが利用可能であるか、または利用可能でないかを示す情報、ＭＰＴＣＰサブリンクが二次リンクであるかどうかを示すリンク優先度情報、または同様のものであることがある。
【００５８】
処理ユニット１０１は、識別されるべきＭＰＴＣＰサブリンクのＭＰＴＣＰリンク情報を獲得し、識別されるべきＭＰＴＣＰサブリンクを、ＭＰＴＣＰ一次リンクのＭＰＴＣＰリンク情報により、ＭＰＴＣＰ一次リンクとマッチさせ、ＭＰＴＣＰ一次リンクとマッチする識別されるべきＭＰＴＣＰサブリンクを識別されたＭＰＴＣＰサブリンクとして決定することを行うように構成され得る。
【００５９】
任意選択で、処理ユニット１０１は、ＭＰＴＣＰ接続を使用する２つの通信パーティの通信プロセスにおいて交換されるシグナリングを解析して、例えば、ＴＣＰサブフロー参加プロセスにおける、識別されるべきＭＰＴＣＰサブリンクのＭＰＴＣＰリンク情報を獲得することがある。
【００６０】
同様に、処理ユニット１０１は、初期ＭＰＴＣＰ接続確立プロセスにおいて２つの通信パーティによって交換されるシグナリングを使用して、ＭＰＴＣＰ一次リンクのＭＰＴＣＰリンク情報を獲得することがある。
【００６１】
本発明の一実施形態において、リンク制御ノードは、初期ＭＰＴＣＰ接続確立プロセスおよびＴＣＰサブフロー参加プロセスにおける関係付けられたシグナリングを直接リッスンし、解析して、リンク制御ノードを介して通過する任意のＭＰＴＣＰ接続のＭＰＴＣＰ一次リンクおよび／またはサブリンクのＭＰＴＣＰリンク情報を獲得することがある。この実施形態は、図２に示されるアプリケーションシナリオに適用可能であり得る。
【００６２】
本発明の別の実施形態において、リンク制御ノードは、受信ユニット１０３を使用することによって、ネットワークノードによって送信されるＭＰＴＣＰ接続メッセージを受信することがある。ＭＰＴＣＰ接続メッセージは、ＭＰＴＣＰ一次リンクおよび識別されるべきＭＰＴＣＰサブリンクのＭＰＴＣＰリンク情報を含む。ネットワークノードは、ＭＰＴＣＰ接続の２つの通信パーティの間の伝送チャネル上に位置付けられる。この実施形態は、図３に示されるアプリケーションシナリオに適用可能であり得る。
【００６３】
この実施形態において、ネットワークノードは、アクセスユーザのＭＰＴＣＰ接続のステータスを識別して、ＭＰＴＣＰ接続の現在のステータスに対応するＭＰＴＣＰ接続メッセージを生成することがある。特に、ネットワークノードは、ＴＣＰデータパケットにおいて特別なフィールドを使用することによって、アクセスユーザによって送受信されるＴＣＰデータパケットを解析して、いずれのアクセスユーザがＭＰＴＣＰユーザであるか識別することがある。ネットワークノードは、ＭＰＴＣＰ接続の、ＭＰＴＣＰユーザによって送受信されるシグナリングを獲得し、シグナリングを解析し、対応するＭＰＴＣＰ接続メッセージを形成し、それをリンク制御ノードに送信する。任意選択で、ネットワークノードは、現在のアクセスユーザのＴＣＰデータパケットを解析してよい。ＴＣＰデータパケットがＭＰＴＣＰ接続のシグナリングを含むことを見出す場合、ネットワークノードは、ＴＣＰデータパケットをコピーし、それをリンク制御ノードに送信する。処理ユニット１０１は、ＴＣＰデータパケットを解析し、ＴＣＰデータパケットにおけるシグナリングから対応するＭＰＴＣＰリンク情報を獲得する。
【００６４】
ＭＰＴＣＰ接続のシグナリングは、ＭＰ＿ＣＡＰＡＢＬＥ、ＭＰ＿ＪＯＩＮ、ＡＤＤ＿ＡＤＤＲ、ＲＥＭＯＶＥ＿ＡＤＤＲ、ＭＰ＿ＦＡＩＬ、ＭＰ＿ＰＲＩＯ、ＭＰ＿ＦＡＳＴＣＬＯＳＥ、および別のオプションなどの、ＭＰＴＣＰ接続に関係付けられたすべてのシグナリング、ならびにＳＹＮ（Ｓｙｎｃｈｒｏｎｏｕｓ）、ＳＹＮ／ＡＣＫ（Ａｃｋｎｏｗｌｅｄｇｅｍｅｎｔ）、ＦＩＮ（Ｆｉｎａｌ）、ＦＩＮ／ＡＣＫ、ＲＳＴ（Ｒｅｓｅｔ）、および別の特別なＴＣＰデータパケットなどの、ＴＣＰサブフローに関係付けられたすべてのシグナリングを含む。
【００６５】
任意選択で、受信ユニット１０３は、異なるタイプの複数のＭＰＴＣＰ接続メッセージを受信することがある。複数のＭＰＴＣＰ接続メッセージは、ネットワークノードによって報告され、同一のＭＰＴＣＰ接続に属する複数の異なるＴＣＰサブフローのものである。例えば、ＢＴＳ、ノードＢ、およびＡＰによって報告され、同時に受信される、ネットワークノードを介して通過する少なくとも１つのＴＣＰサブフローのＭＰＴＣＰ接続メッセージである。任意選択で、ネットワークノードは、基地局デバイスであってよい。通信リンクが、リンク制御ノードと、異なるネットワークノードを管理する基地局コントローラとの間で確立され得る。通信リンクは、測定情報および制御情報を伝送するのに使用される。例えば、リンク制御ノードがＲＮＣに統合されるものと想定される。ＮｏｄｅＢが、ノードＢによって解析されたＭＰＴＣＰ接続メッセージをＲＮＣに直接報告することがある。ＢＴＳもしくはＡＰが、それらのそれぞれの獲得されたＭＰＴＣＰ接続メッセージを対応するＢＳＣもしくはＡＣに報告することがある。ＢＳＣもしくはＡＣが、受信されたＭＰＴＣＰ接続メッセージを、ＢＳＣもしくはＡＣとＲＮＣの間のリンク関係によりＲＮＣに転送する。ＲＮＣが、ＭＰＴＣＰ接続上で管理を実行する。任意選択で、通信リンクが、ネットワークノードとリンク制御ノードの間で直接確立されてよい。ネットワークノードは、関係付けられた制御デバイスによって転送することなしに、関係付けられたメッセージをリンク制御ノードに直接報告することがある。さらに、ネットワークノードとリンク制御ノードが、前述のシナリオと同様に、ネットワークデバイスに、例えば、ｅノードＢに統合される場合、通信リンクは、情報を交換するのに、ｅノードＢに対応するレベルでｅノードＢと別のネットワークデバイスの間で確立される必要があるに過ぎない。詳細は本明細書で説明されない。
【００６６】
任意選択で、本発明の別の実施形態において、リンク制御ノードは、ストレージユニット１０４をさらに含み得る。ストレージユニット１０４は、ＭＰＴＣＰリンク情報テーブルを記憶するように構成され、ＭＰＴＣＰリンク情報テーブルは、ＭＰＴＣＰ一次リンクのＭＰＴＣＰリンク情報を含む。
【００６７】
処理ユニット１０１は、ＭＰＴＣＰ一次リンクとマッチするＭＰＴＣＰサブリンクのＭＰＴＣＰリンク情報をＭＰＴＣＰリンク情報テーブルに追加すること、およびＭＰＴＣＰサブリンクの現在のステータス、またはＭＰＴＣＰ一次リンクの現在のステータスが変化した場合、ＭＰＴＣＰリンク情報テーブルを更新することを行うように特に構成され得る。
【００６８】
任意選択で、ＭＰＴＣＰリンク情報テーブルは、同一のＭＰＴＣＰ接続のＭＰＴＣＰリンク情報、または複数のＭＰＴＣＰ接続のＭＰＴＣＰリンク情報を含んでよい。処理ユニット１０１は、ＭＰＴＣＰ接続のアドレスによって、システム全体における各ＭＰＴＣＰ接続のＭＰＴＣＰ一次リンクおよびサブリンクを管理することがある。
【００６９】
任意選択で、処理ユニット１０１は、リンク調整ポリシーにより、第１のＭＰＴＣＰサブリンク、および第１のＭＰＴＣＰサブリンクに適用可能な調整方式を決定するように特に構成され得る。リンク調整ポリシーは、第１のＭＰＴＣＰサブリンクを識別するのに使用される第１のＭＰＴＣＰリンク情報と、調整方式を示すのに使用されるコマンド情報とを含み得る。
【００７０】
特に、処理ユニット１０１は、識別されたＭＰＴＣＰサブリンクにおいて、第１のＭＰＴＣＰサブリンクを識別するのに使用され、かつリンク調整ポリシーに含められた第１のＭＰＴＣＰリンク情報により探索し、ＭＰＴＣＰリンク情報が第１のＭＰＴＣＰリンク情報と同一であるＭＰＴＣＰサブリンクを第１のＭＰＴＣＰサブリンクとして使用することがある。リンク調整ポリシーは、リンク制御が決定され、実行される必要があるＭＰＴＣＰサブリンクの特定の処理方式を含み得る。
【００７１】
任意選択で、リンク調整ポリシーは、オペレータ管理および制御ポリシーの少なくとも１つの条件、ＭＰＴＣＰサブリンクに対応するネットワークノードの無線リソースステータス、またはＭＰＴＣＰサブリンクのリンクステータスに基づいて決定されてよい。
【００７２】
オペレータ管理および制御ポリシーは、システム負荷バランシング、リンクリソース利用、およびアカウンティングポリシーを確実にし、かつネットワーク全体上のオペレータの管理および制御傾向を表す項目を含む。
【００７３】
同時のＬＴＥおよびＷｉ−Ｆｉデータのシナリオが、説明のために使用される。輻輳制御アルゴリズムが、ＭＰＴＣＰプロトコルにおいて定義される。すなわち、データの往復時間（ＲＴＴ、Ｒｏｕｎｄ  Ｔｒｉｐ  Ｔｉｍｅ）、およびパケット損失率が、データオフロードおよびスケジューリングのための基礎として使用される。ＬＴＥネットワークのエッジに位置付けられたＵＥが劣悪な品質の通信リンクを有する場合、オペレータは、Ｗｉ−Ｆｉ上でより多くのデータを、より高いスペクトル効率で伝送する傾向があり得るが、通信リンク品質およびスペクトル効率は、リンクのＲＴＴまたはパケット損失率と直接の対応関係を有しない。したがって、ＬＴＥリンクおよびＷｉ−Ｆｉリンクに関する客観的な因子である、ＲＴＴおよびパケット損失率だけをデータオフロードおよびスケジューリングのための基礎として使用することは、データがＷｉ−Ｆｉリンクに正しくオフロードできることを確実にすることができない。別の例に関して、分類されたアカウンティング理由を考慮して、オペレータは、ＵＥがデータを可能な限りＬＴＥリンク上で伝送することを要求し得るが、客観的な因子である、ＲＴＴおよびパケット損失率をオフロードのための基礎として使用して、オペレータは、２つのリンクにどのようにデータを割り当てるかを制御することができない。リンク調整ポリシーは、ＭＰＴＣＰサブリンクのステータスを調整するように、かつデータの伝送パスを能動的に変化させるように定義される。このことは、サービスデータの伝送パスが、オペレータの管理および制御目的を実現することを可能にし得る。
【００７４】
オペレータポリシーは、リンク制御ノードのために直接構成されること、または別のネットワーク要素によって配信されること、例えば、コアネットワークにおける制御デバイスによって設定されて、配信されることがある。本発明のこの実施形態は、それに対して特別な限定を設定しない。
【００７５】
任意選択で、受信ユニット１０３が、測定レポートによって示される、ＭＰＴＣＰサブリンクに対応するネットワークノードによって報告される測定レポートを受信すること、およびＭＰＴＣＰサブリンクのリンク品質ステータス、および／またはＭＰＴＣＰサブリンクに対応するネットワークノードの無線リソースステータスにより、かつオペレータ管理および制御ポリシーにより、リンク調整ポリシーを決定することを行うように構成され得る。
【００７６】
任意選択で、測定レポートは、ＵＥがアクセスし、かつＭＰＴＣＰ接続の通信パーティの役割をするネットワークノードに関する測定レポートであり得る。レポートにおける内容は、以下の情報、すなわち、無線アクセスタイプ、無線アクセスポイントの識別子、および無線アクセスポイントのリソースステータス、例えば、システム負荷情報を含み得るが、以上には限定されない。
【００７７】
任意選択で、測定レポートは、アクセスユーザ、すなわち、ＵＥに直接関する測定レポートであり得る。レポートにおける内容は、以下の情報、すなわち、無線アクセスタイプ、無線アクセスポイントの識別子、アクセスユーザのグローバル一意識別子、ならびにリンク品質およびユーザ分布ステータスなどのＵＥの無線リンク情報を含み得るが、以上には限定されない。ユーザ分布ステータスは、ユーザがセルの中心に位置付けられているか、またはセルのエッジに位置付けられているかについての情報である。
【００７８】
測定レポートは、イベントによって周期的に報告されること、またはトリガされることがあり、これは本発明のこの実施形態に限定されない。任意選択で、ネットワークノードに関する測定レポートが、ネットワークノードが、ＭＰＴＣＰ接続に関係付けられたＴＣＰサブフローを有する場合に限って報告されてよく、またはアクセスユーザに関する測定レポートが、アクセスユーザが、ＭＰＴＣＰ接続に関係付けられたＴＣＰサブフローを有する場合に限って報告されてよい。このことは、測定レポートを報告する頻度を低減し得る。
【００７９】
任意選択で、処理ユニット１０１が、ＭＰＴＣＰサブリンクから、リンク制御が実行される必要がある第１のＭＰＴＣＰサブリンクを決定するように構成され得ることは、
ＭＰＴＣＰサブリンクに対応するネットワークノードの無線リソースステータスが第１の事前設定された条件を満たすかどうかを決定し、第１の事前設定された条件を満たさないネットワークノードに対応するＭＰＴＣＰサブリンクから、かつオペレータ管理および制御ポリシーにより、ネットワークノードに対応する少なくとも１つのＭＰＴＣＰサブリンクを第１のＭＰＴＣＰサブリンクとして決定すること、またはＭＰＴＣＰサブリンクのリンク品質ステータスが事前設定された第２の条件を満たすかどうかを決定し、事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを含む。
【００８０】
任意選択で、処理ユニット１０１は、ＭＰＴＣＰサブリンクに対応するネットワークノードの無線リソースステータスを表すパラメータ値、および／またはＭＰＴＣＰサブリンクのリンク品質ステータスを表すパラメータ値を計算するように構成され得る。例えば、処理ユニット１０１は、チャネル品質指標（ＣＱＩ、ｃｈａｎｎｅｌ  ｑｕａｌｉｔｙ  ｉｎｄｉｃａｔｏｒ）、参照信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）、または同様のものなどのリンク品質を表すパラメータの値を計算することがある。特定の計算プロセスに関して、従来技術における関係付けられた内容を参照されたい。本発明のこの実施形態において詳細が説明されることはない。
【００８１】
第１の事前設定された条件、および第２の事前設定された条件は、ネットワーク動作要件により決定され、かつデバイス機能プロセスにおけるネットワーク実行ステータスにより調整されることがある。本発明のこの実施形態は、それに対して特別な限定を設定しない。
【００８２】
第１のＭＰＴＣＰサブリンクを表現する方式は、処理が実行されない他のＭＰＴＣＰサブリンクから第１のＭＰＴＣＰサブリンクを区別することであることが理解され得る。本発明のこの実施形態において説明されるシーケンス番号である、第１、第２、および第３は、シーケンス依存ではなく、本発明のこの実施形態に対する限定として解釈されるべきではない。
【００８３】
処理ユニット１０１が、リンク制御が実行される必要がある第１のＭＰＴＣＰサブリンクを決定すること、および第１のＭＰＴＣＰサブリンクに適用可能な調整方式を決定することをどのように行うかの説明は、リンク制御ノードがリンク調整ポリシーを決定する方式と見なされ得ることが理解され得る。すなわち、リンク制御ノードはまず、前述の方法によりリンク調整ポリシーを決定し、リンク調整ポリシーを実行する。あるいは、リンク制御ノードは、リンク調整ポリシーをまず設定することなしに、前述のステップを直接実行する。本発明のこの実施形態は、それに対して特別な限定を設定しない。
【００８４】
任意選択で、リンク制御ノードは、リンク調整ポリシーを決定し、実行することがある。あるいは、ネットワークノードが、リンク調整ポリシーを決定し、それをリンク制御ノードに送信してよく、リンク制御ノードは、記憶されたＭＰＴＣＰリンク情報におけるＭＰＴＣＰサブリンクの現在のステータスにより、ポリシーを実行する特定の方式、例えば、既に選択されたリンクを調整するのにいずれのシグナリングを送信するかの方式を決定する。任意選択で、リンク制御ノードは、ネットワークノードによって報告される初期ポリシー、ならびにリンクステータスおよび／または無線リソースステータスを受信し、リンクステータスもしくは無線リソースステータスを計算し、ネットワークノードによって報告されるリンクステータスもしくは無線リソースステータス、および初期ポリシーにより最良の選択を行ってよい。
【００８５】
任意選択で、リンク制御ノードは、ＭＰＴＣＰ接続に関係付けられた情報をネットワークノードに送信して、ネットワークノードがポリシーを決定することができるようにしてよい。対応するＭＰＴＣＰサブリンクを調整することができると決定する場合、ネットワークノードが、リンク調整ポリシーをリンク制御ノードに送信し、受信ユニット１０３が、リンク調整ポリシーを受信する。
【００８６】
任意選択で、リンク調整ポリシーを実行した後、リンク制御ノードは、実際のポリシー実行ステータスをネットワークノードにさらにフィードバックして、ネットワークノードが後続のポリシーを設定することができるようにしてよい。
【００８７】
リンク調整ポリシーのフォーマットおよび内容は、限定されず、ＭＰＴＣＰリンクのアドレス、ステータス情報、および特定の処理方式を含んでよいことに留意されたい。例えば、アドレス、すなわち、ＭＰＴＣＰサブリンクのＩＰアドレス、ステータス、すなわち、ポートが劣悪なパフォーマンスのリンクを有する、処理方式、すなわち、削除される必要がある、を含む意味的ポリシーが使用され得る。あるいは、アドレス、すなわち、ＭＰＴＣＰサブリンクのＩＰアドレス、ステータス、すなわち、ポートがより低い優先度のリンクを有する、処理方式、すなわち、リンクの優先度が増加され得る。
【００８８】
オペレータ管理および制御ポリシーは、リンク調整ポリシーを設定するための基礎として、ＭＰＴＣＰサブリンクに対応するネットワークノードの無線リソースステータス、ＭＰＴＣＰサブリンクのリンク品質ステータス、および別の条件とランダムに組み合わされることがあること、または別々に使用されることが知られ得る。さらに、ターゲットサブリンクおよびその対応する調整方式をどのように決定すべきかは、前述の３つの条件に限定されない。システム実行要件により適切な参照が、ポリシー、および対応する処理方法を設定するための基礎として選択され得る。本発明のこの実施形態は、それに対して特別な限定を設定しない。
【００８９】
リンク調整ポリシーを獲得した後、リンク制御ノードは、リンク調整ポリシーにおいて搬送されるアドレス情報を獲得し、処理されるべきＭＰＴＣＰサブリンクを識別し、処理されるべきＭＰＴＣＰサブリンクとＭＰＴＣＰ一次リンクの間の関連付けを見出すようにＭＰＴＣＰリンク情報テーブルにおいて探索を行い、ＭＰＴＣＰサブリンクのステータスを決定し、リンク調整ポリシーに含められた処理方式によりＭＰＴＣＰサブリンクを処理する。関連付けは、ＵＥがデータ通信を実行するのに利用可能な現在のＭＰＴＣＰサブリンクがいずれのＭＰＴＣＰ接続に属するかを示す情報、ＵＥがアクセスネットワークにアクセスするのにいずれのネットワークノードを使用するかについての情報、または同様のものを含む。
【００９０】
任意選択で、処理ユニット１０１は、調整方式を示し、かつリンク調整ポリシーに含められたコマンド情報により、第１のＭＰＴＣＰサブリンクの現在のステータスが調整方式に適用可能であるかどうかを決定するように特に構成され得る。
【００９１】
送信ユニット１０２は、調整方式を示すシグナリングを、調整方式に適用可能な第１のＭＰＴＣＰサブリンクに関するＭＰＴＣＰ接続の２つの通信パーティに送信するように特に構成され得る。
【００９２】
任意選択で、調整方式は、第１のＭＰＴＣＰサブリンクの確立を停止させること、第１のＭＰＴＣＰサブリンクを削除すること、または第１のＭＰＴＣＰサブリンクの優先度を調整することを含み得る。処理ユニット１０１は、シグナリングを介して、第１のＭＰＴＣＰサブリンクを調整するよう２つの通信パーティに指示することがある。
【００９３】
特に、ネットワークノードの無線リソースステータス、および／またはネットワークノードに対応するＭＰＴＣＰサブリンクのリンク品質ステータスが、ネットワークノードの負荷が第１の事前設定された閾値を超えることを示す場合、処理ユニット１０１は、調整方式が、第１のＭＰＴＣＰサブリンクがＴＣＰサブフロー参加プロセスを完了することを停止させていると決定するように構成され得る。
【００９４】
任意選択で、２つの通信パーティは、第１のＭＰＴＣＰサブリンクの確立を停止させるように以下の方式で指示され得る。
【００９５】
方式１  リンク制御ノードが、ＴＣＰデータパケットが、ＭＰＴＣＰサブリンクが確立されていることを示すＭＰ＿ＪＯＩＮオプションを含むことを検出し、ＴＣＰ  ＲＳＴパケットもしくはＴＣＰ  ＦＩＮパケットをサブリンクテーブルにおけるいずれかのパーティのＩＰアドレスおよびポートに送信し、送信ソースアドレスおよびポートをＭＰＴＣＰサブリンクの他のパーティのＩＰアドレスおよびポートに設定する。この方式は、図２または図３に示されるアプリケーションシナリオに適用可能であり得る。
【００９６】
方式２  リンク制御ノードが、ＴＣＰサブフロー参加プロセスにおける４つのハンドシェークサブプロセスを監視し、第２のサブプロセス、第３のサブプロセス、および第４のサブプロセスにおけるＴＣＰデータパケットにおけるＨＭＡＣ，またはＴｏｋｅｎなどの特別なフィールドをランダムに変化させて、ＴＣＰサブフロープロセスが失敗し、かつＭＰＴＣＰサブリンクが一般的なＴＣＰリンクを復元するようにする。この方式は、図３に示されるアプリケーションシナリオに適用可能である。
【００９７】
オペレータのネットワークに重い負荷がかかっている場合、複数のＴＣＰサブフローの確立を停止させるポリシーが、システムパフォーマンスがさらに劣化するのを防止するのに通常、使用され得る。このことは、ＭＰＴＣＰリンクがデータ伝送のために確立されていないシナリオに通常、適用可能である。この場合において、リンク制御ノードは、ＭＰＴＣＰ一次リンクおよびサブリンクを含む完全な情報テーブルを保存していない。したがって、リンク制御ノードは、ポリシーが完了された後、ＭＰＴＣＰリンク情報テーブルを更新する必要がない。
【００９８】
特に、ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、処理ユニット１０１は、調整方式が第１のＭＰＴＣＰサブリンクを削除していると決定するように構成され得る。
【００９９】
任意選択で、リンク制御ノードは、第１のＭＰＴＣＰサブリンクを削除するよう２つの通信パーティに以下の方式で指示する。
【０１００】
方式１  処理ユニット１０１は、ＴＣＰ  ＲＳＴパケットもしくはＴＣＰ  ＦＩＮパケットをＭＰＴＣＰリンク情報テーブルにおけるいずれかのパーティに送信すること、および送信ソースアドレスおよびポート番号を、ＴＣＰ  ＲＳＴパケットもしくはＴＣＰ  ＦＩＮパケットを受信するそのいずれかのパーティの他のパーティのＩＰアドレスおよびポートに設定することを行うよう送信ユニット１０２に指示する。すなわち、リンク制御ノードは、他のパーティに置き換わって、ＴＣＰサブフロー異常終了プロセスまたはＴＣＰサブフロー停止プロセスを開始する。このようにして、対応するＭＰＴＣＰサブリンクが削除され得る。この方式は、図２または図３に示されるアプリケーションシナリオに適用可能であり得る。
【０１０１】
方式２  処理ユニット１０１が、リンク調整が実行される必要があるＭＰＴＣＰサブリンクのパーティが、他のパーティにＴＣＰデータパケットを送信したことを検出し、ＴＣＰデータパケットにおけるＤＳＳなどのキーフィールドを変化させる。他のパーティは、ＴＣＰデータパケットを検証することに失敗する。次に、他のパーティが、ＴＣＰサブフロー異常終了プロセスを開始するパーティにＴＣＰ  ＲＳＴパケットを送信する。このようにして、対応するＭＰＴＣＰサブリンクが削除され得る。この方式は、図３に示されるアプリケーションシナリオに適用可能である。
【０１０２】
セルに重い負荷がかかっているためにリンクパフォーマンスが劣化する事例が、ＭＰＴＣＰサブリンクを削除することによって軽減され得る。システム負荷ステータスおよび動作要件に依存して、ＭＰＴＣＰ接続に属するすべてのＭＰＴＣＰサブリンクが、削除されることがあり、ＭＰＴＣＰ一次リンクだけが保持される。このことは、ＭＰＴＣＰ接続が一般的なＴＣＰ接続に変化することと等価である。リンク調整ポリシーは、複数のＭＰＴＣＰリンクがデータ伝送のために確立されているシナリオに通常、適用可能である。この事例において、リンク制御ノードは、ＭＰＴＣＰ一次リンクおよびサブリンクについての完全な情報をＭＰＴＣＰリンク情報テーブルに保存しているはずである。ＭＰＴＣＰサブリンクを削除した後、処理ユニット１０１は、ＭＰＴＣＰリンク情報テーブルを対応して更新することがある。
【０１０３】
特に、ＭＰＴＣＰサブリンクのリンク品質ステータスが、第１のＭＰＴＣＰサブリンクのパフォーマンスが第３の事前設定された閾値より高いことを示し、かつ第１のＭＰＴＣＰサブリンクの現在のステータスが、第１のＭＰＴＣＰサブリンクが二次リンクであることを示す場合、処理ユニット１０１は、調整方式が第１のＭＰＴＣＰサブリンクの優先度を増加させていると決定するように構成され得る。
【０１０４】
任意選択で、２つの通信パーティが、第１のＭＰＴＣＰサブリンクの優先度を調整するように指示されることは、ＭＰＴＣＰサブリンクの優先度を増加させることを含む。このプロセスは、ＭＰＴＣＰリンク情報テーブルにおいて利用可能なサブリンクのリンクステータスを探索すること、バックアップ優先度のサブリンクが終了する場合、サブリンクを開始するパーティに、Ｃｈａｎｇｅ  Ｓｕｂｆｌｏｗ  Ｐｒｉｏｒｉｔｙコマンドを搬送するＭＰ＿ＰＲＩＯオプションを含むＴＣＰデータパケットを送信すること、およびサブリンクのＢａｃｋｕｐ識別子ビットを０に設定して、現在のサブリンクをアクティブ化することを特に含む。対応して、リンク調整ポリシーは、１または複数のＭＰＴＣＰサブリンクの優先度を増加させることについての情報を含み得る。同様に、ＭＰＴＣＰサブリンクの優先度が低下させられ得る。サブリンクは、サブリンクのＢａｃｋｕｐ識別子ビットを１に設定することによって二次リンクに設定される。
【０１０５】
ＭＰＴＣＰサブリンクの優先度を変化させるポリシーは、通常、オペレータの単一のユーザがより低い優先度を有する事例を軽減するのに使用される。このことは、通常、伝送のために複数のＭＰＴＣＰリンクが確立されているシナリオに適用可能である。この事例において、リンク制御ノードは、ＭＰＴＣＰ一時リンクおよびサブリンクについての完全な情報を保存する。ＭＰＴＣＰサブリンクの優先度を更新した後、処理ユニット１０１は、ＭＰＴＣＰリンク情報テーブルを対応して更新することがある。
【０１０６】
第１の事前設定された閾値、第２の事前設定された閾値、および第３の事前設定された閾値は、ネットワーク動作要件により決定され、かつデバイス機能プロセスにおけるネットワーク実行ステータスにより調整されることがある。本発明のこの実施形態は、それに対して特別な限定を設定しない。
【０１０７】
第一に、情報伝送制御ノードによるリンク調整ポリシーを実行するアクションは、ＭＰＴＣＰリンク情報テーブルにおける項目だけに関することに留意されたい。すなわち、処理は、ＭＰＴＣＰリンクのステータスに基づいてポリシーにより実行される。このことは、一般的なＴＣＰリンクに影響を与えない。第二に、処理は、調整条件を満たすサブリンク上でポリシーにより実行される。ポリシーにおいて指定される処理されるべきリンクに関して、ＭＰＴＣＰリンク情報テーブルにおいて取り出すことによって、リンクがＭＰＴＣＰ接続の一次リンクであることが見出された場合、この事例において、リンク制御ノードは、処理を実行しない。したがって、ユーザの通常のサービス実行は、影響されない。
【０１０８】
ＭＰＴＣＰサブリンクの調整方式は、例示的であることが理解できる。ＭＰＴＣＰサブリンクの実際のステータス、および異なるシステム実行要件に関して別のリンク調整方式が存在することがある。本発明のこの実施形態は、それに対して特別な限定を設定しない。
【０１０９】
本発明の別の実施形態において、処理ユニット１０１がＭＰＴＣＰリンク情報テーブルを維持する方式およびプロセスを説明する例が提供される。このプロセスは、１つのＭＰＴＣＰ一次リンクおよび１つのＭＰＴＣＰサブリンクに対応する情報を獲得するプロセスと、リンク情報テーブルを確立するプロセスとを含む。ＭＰＴＣＰリンク情報テーブルを確立すること、および維持することは、以下の一意の方式に限定されるに過ぎないわけではなく、これは本発明のこの実施形態に特に限定されないことを理解することができる。
【０１１０】
初期状態において、ＭＰＴＣＰリンク情報テーブルの内容がテーブル１に示され得る。
【０１１１】
【表１】
0006573658.tif 000002
【０１１２】
初期状態とは、ＭＰＴＣＰ接続は確立されていないが、ＭＰＴＣＰプロトコルを使用する２つの通信パーティが、任意の時点で初期ＭＰＴＣＰ接続確立プロセスを開始してよいことを指す。
【０１１３】
特に、リンク制御ノードは、２つの通信パーティによって現在、伝送され、かつネットワークノードによってリッスンすること、または転送されることを介して獲得されるＴＣＰデータパケットを解析する。初期ＭＰＴＣＰ接続確立プロセスに関係付けられたシグナリングが、ＴＣＰデータパケットにおいて見出された場合、例えば、処理ユニット１０１が、解析することを介して、ＴＣＰデータパケットがＴＣＰ  ＳＹＮパケットであり、かつＯＰＴＩＯＮフィールドがＭＰ＿ＣＡＰＡＢＬＥオプションを含むことを獲得した場合、処理ユニット１０１は、初期ＭＰＴＣＰ接続確立プロセスを開始するパーティのトークンを計算することがある。このプロセスは、処理ユニット１０１が、ＴＣＰデータパケットにおけるＯＰＴＩＯＮフィールドにおける暗号アルゴリズムネゴシエーションビットによりトークン計算アルゴリズムを選択し、現在のＴＣＰデータパケットにおけるＯＰＴＩＯＮフィールドにおけるＫｅｙを使用して、プロセスを開始するパーティのトークンを計算することを含む。例えば、既存のプロトコルにおいてサポートされるＨＭＡＣ−ＳＨＡ１アルゴリズムが使用される。処理ユニット１０１は、現在のＴＣＰパケットにおいて搬送され、かつ解析することを介して獲得される２つの通信パーティのＩＰアドレスおよびポート番号、ならびにプロセスを開始するパーティの計算されたトークンにより、ＭＰＴＣＰリンク情報テーブルにおいて取り出す。マッチされたエントリが取り出された場合、処理ユニット１０１は、情報テーブルを更新しない。マッチされたエントリを取り出すことができない場合、処理ユニット１０１は、２つの通信パーティのＩＰアドレスおよびポート番号、ならびにプロセスを開始するパーティのトークンをＭＰＴＣＰリンク情報テーブルに追加する。取り出されているマッチされたエントリは、初期ＭＰＴＣＰ接続確立プロセスが完了されていることを示す。
【０１１４】
別の例に関して、処理ユニット１０１が、解析することを介して、現在のＴＣＰデータパケットがＴＣＰ  ＳＹＮ／ＡＣＫパケットであり、かつＯＰＴＩＯＮフィールドがＭＰ＿ＣＡＰＡＢＬＥオプションを含むことを獲得した場合、処理ユニット１０１は、初期ＭＰＴＣＰ接続確立プロセスに応答するパーティのトークンを計算することがある。このプロセスは、処理ユニット１０１がまず、ＴＣＰ  ＳＹＮ／ＡＣＫパケットにおけるＯＰＴＩＯＮフィールドにおけるＫｅｙをトークンとして計算することを含む。計算プロセスは、プロセスを開始するパーティのトークンを計算するプロセスと同様である。詳細は本明細書で説明されない。次に、処理ユニット１０１は、ＭＰＴＣＰ一次リンクを開始するパーティのＩＰアドレスおよびポート番号、ならびにＭＰＴＣＰ一次リンクに応答するパーティのＩＰアドレスおよびポート番号をそれぞれ置換する、すなわち、開始するパーティのＩＰアドレスは、応答するパーティのＩＰアドレスと等しく、開始するパーティのポート番号は、宛先パーティのポート番号と等しく、応答するパーティのＩＰアドレスは、開始するパーティのＩＰアドレスと等しく、宛先パーティのポート番号は、開始するパーティのポート番号と等しい。処理ユニット１０１は、置換の後に獲得されたアドレス情報、および計算されたトークンを使用することによってＭＰＴＣＰリンク情報において取り出す。マッチされたアドレスが取り出された場合、処理ユニット１０１は、トークンを、ＭＰＴＣＰ一次リンクに応答するパーティのトークン項目に追加する。
【０１１５】
別の例に関して、処理ユニット１０１が、解析することを介して、現在のＴＣＰデータパケットがＴＣＰ  ＡＣＫパケットであり、かつＯＰＴＩＯＮフィールドがＭＰ＿ＣＡＰＡＢＬＥオプションを含むことを獲得した場合、処理ユニット１０１は、ＯＰＴＩＯＮフィールドにおけるＫｅｙ１およびＫｅｙ２により初期ＭＰＴＣＰ接続の２つのパーティのトークンを計算することがある。計算プロセスは、前述したプロセスと同一である。処理ユニット１０１は、トークンを、初期ＭＰＴＣＰ接続確立プロセスにおける２つのパーティの別々に計算されたトークンとマッチさせる。マッチさせることが成功した場合、それは、初期ＭＰＴＣＰ接続が確立されていることを示し、ＭＰＴＣＰ一次リンクのステータスに利用可能であるという印が付けられてよい。
【０１１６】
処理ユニット１０１は、現在、伝送されるＴＣＰデータパケットを解析する。ＴＣＰデータパケットが、ＴＣＰサブフロー参加プロセスに関係付けられたデータパケットであることを見出す、例えば、現在のＴＣＰデータパケットがＴＣＰ  ＳＹＮパケットであり、かつＯＰＴＩＯＮフィールドがＭＰ＿ＪＯＩＮオプションを含むことを見出す場合、処理ユニット１０１は、ＭＰＴＣＰリンク情報テーブルにおいて、ＯＰＴＩＯＮフィールドにおけるキーに基づいて計算されたトークンにより取り出す。処理ユニット１０１が、取り出すことを介して、トークンがＭＰＴＣＰ一次リンクを開始するパーティのトークン、またはＭＰＴＣＰ一次リンクに応答するパーティのトークンと同一であり、かつＭＰＴＣＰ一次リンクのステータスが利用可能であることを獲得した場合、それは、ＴＣＰサブフロー参加プロセスにおける新たに作成されたＴＣＰサブフローがＭＰＴＣＰ一次リンクに関連付けられ、かつＴＣＰサブフローおよびＭＰＴＣＰ一次リンクが同一のＭＰＴＣＰ接続に属することを示す。ＭＰＴＣＰサブリンクを開始するパーティ、およびそのようなサブリンクに応答するパーティのＩＰアドレスおよびポート番号などのアドレス情報が、同一のＭＰＴＣＰ一次リンクに関して更新される。同時に、ＭＰＴＣＰサブリンクのリンク優先度が、ＯＰＴＩＯＮフィールドにおけるＢａｃｋｕｐ識別子ビットにより更新される。別の例に関して、処理ユニット１０１が、現在のＴＣＰデータパケットがＴＣＰ  ＡＣＫパケットであることを見出し、かつ解析することを介して、現在のＴＣＰデータパケットにおいて置換後に獲得されたアドレス情報がＭＰＴＣＰリンク情報テーブルにおける関係付けられた情報とマッチし、かつＭＰＴＣＰ一次リンクのステータスが利用可能であることを獲得した場合、それは、ＭＰＴＣＰサブリンクが確立されていることを示す。処理ユニット１０１は、ＭＰＴＣＰリンク情報テーブルにおいてＭＰＴＣＰサブリンクのステータスを利用可能に更新する。
【０１１７】
処理ユニット１０１は、現在、伝送されるＴＣＰデータパケットを解析する。ＴＣＰデータパケットがＭＰＴＣＰサブフロー停止プロセスにあること、すなわち、現在のＴＣＰデータパケットのタイプがＦＩＮプロセスにおける４つのハンドシェークサブプロセスであることを見出す場合、処理ユニット１０１は、ＭＰＴＣＰリンク情報テーブルにおいて、ＴＣＰデータパケットにおけるアドレス情報、および置換の後に獲得されたアドレス情報により別々に取り出す。取り出すことを介して、ＭＰＴＣＰ一次リンクのステータスが利用可能であり、かつアドレス情報、もしくは置換の後に獲得されたアドレス情報がＭＰＴＣＰリンク情報テーブルにおけるサブリンクのアドレス情報とマッチすることを見出す場合、処理ユニット１０１は、アドレス情報と、優先度情報とを含むＴＣＰサブリンクに関係付けられた情報を削除し、ＭＰＴＣＰサブリンクのステータスを利用不能に更新する。
【０１１８】
処理ユニット１０１は、現在、伝送されるＴＣＰデータパケットを解析する。ＴＣＰデータパケットがＭＰＴＣＰ一次リンク停止プロセスにあること、すなわち、現在のＴＣＰデータパケットのタイプがＤＡＴＡ＿ＦＩＮプロセスにおける４つのハンドシェークサブプロセスであることを見出す場合、処理ユニット１０１は、ＭＰＴＣＰリンク情報テーブルにおいて、ＴＣＰデータパケットにおけるアドレス情報、および置換の後に獲得されたアドレス情報により別々に取り出す。取り出すことを介して、ＭＰＴＣＰ一次リンクのステータスが利用可能であり、かつアドレス情報、もしくは置換の後に獲得されたアドレス情報が、ＭＰＴＣＰリンク情報テーブルにおけるＭＰＴＣＰ一次リンクのアドレス情報、またはサブリンクのアドレス情報とマッチすることを見出す場合、処理ユニット１０１は、以下の内容を順次探索して、削除する。
【０１１９】
【表２】
0006573658.tif 000003
【０１２０】
処理ユニット１０１が、ＭＰＴＣＰサブリンクとＭＰＴＣＰ一次リンクのステータスを同時に利用不能に更新する。
【０１２１】
処理ユニット１０１が、現在、伝送されるＴＣＰデータパケットを解析する。ＴＣＰデータパケットが、ＭＰＴＣＰサブリンク異常終了を示すＲＳＴプロセスにあることが見出された場合、処理プロセスに関して、サブフロー停止プロセスを参照されたい。詳細は本明細書で説明されない。
【０１２２】
処理ユニット１０１が、現在、伝送されるＴＣＰデータパケットを解析する。ＴＣＰデータパケットが、ＭＰＴＣＰ一次リンク異常終了を示すＭＰ＿ＦＡＳＴＣＬＯＳＥプロセスにあることが見出された場合、処理プロセスに関して、ＭＰＴＣＰ一次リンク停止プロセスを参照されたい。詳細は本明細書で説明されない。
【０１２３】
処理ユニット１０１が、現在、伝送されるＴＣＰデータパケットを解析する。ＴＣＰデータパケットがＭＰＴＣＰサブリンク優先度調整プロセスにあることを見出す場合、処理ユニット１０１は、ＭＰＴＣＰリンク情報テーブルにおいて、ＴＣＰデータパケットにおけるアドレス情報、および置換の後に獲得されたアドレス情報により別々に取り出す。取り出すことを介して、ＭＰＴＣＰ一次リンクのステータスが利用可能であり、かつアドレス情報、もしくは置換の後に獲得されたアドレス情報がＭＰＴＣＰリンク情報テーブルにおけるＭＰＴＣＰサブリンクのアドレス情報とマッチすることを見出す場合、処理ユニット１０１は、ＭＰＴＣＰサブリンクの優先度を現在の優先度に更新する。現在の優先度は、ＴＣＰデータパケットにおけるＢａｃｋｕｐ識別子ビットによって表される。
【０１２４】
本発明の実施形態が、ネットワークノードを提供する。ネットワークノードは、ＭＰＴＣＰサブリンクの伝送パス上に位置付けられ、ＭＰＴＣＰ接続を使用する２つの通信パーティの間でデータ通信をサポートするように構成される。図６は、ネットワークノードのブロック図を示す。ネットワークノードは、処理ユニット２０１と、送信ユニット２０２とを含む。
【０１２５】
処理ユニット２０１は、リンク調整ポリシーを決定するように構成されることがあり、リンク調整ポリシーは、ネットワークノードに対応し、かつＭＰＴＣＰ接続に属するＭＰＴＣＰサブリンクから、リンク制御が実行される必要がある第１のＭＰＴＣＰサブリンクを決定するよう、かつ第１のＭＰＴＣＰサブリンクに適用可能な調整方式を決定するよう指示するのに使用される。
【０１２６】
送信ユニット２０２は、リンク調整ポリシーをリンク制御ノードに送信するように構成され得る。
【０１２７】
リンク制御ノードとネットワークノードは、間に直接の、もしくは間接の通信が存在する２つのスタンドアロンの装置であることがあり、または基地局などのエンティティネットワーク要素内に位置付けられる。本発明のこの実施形態は、それに対して特別な限定を設定しない。
【０１２８】
リンク調整ポリシーは、第１のＭＰＴＣＰサブリンクを識別するのに使用される第１のＭＰＴＣＰリンク情報と、調整方式を示すのに使用されるコマンド情報とを含む。
【０１２９】
リンク調整ポリシーの特定の内容、およびポリシーを決定する方法に関して、図４に示される実施形態における関係付けられた説明を参照されたい。方法は、リンク制御ノードが第１のＭＰＴＣＰサブリンク、およびその対応する調整方式を決定するプロセスと同様である。詳細は本明細書で説明されない。
【０１３０】
第１のＭＰＴＣＰリンク情報は、第１のＭＰＴＣＰサブリンクのアドレス情報を含むことがあり、アドレス情報は、２つの通信パーティのＩＰアドレスおよびポート番号を含む。任意選択で、第１のＭＰＴＣＰリンク情報は、第１のＭＰＴＣＰサブリンクの現在のステータスを表すステータス情報をさらに含むことがあり、ステータス情報は、リンクが利用可能であるか、または利用不能であるかを示す情報と、リンク優先度を示す情報とを含む。
【０１３１】
任意選択で、送信ユニット２０２は、測定レポートをリンク制御ノードに報告するようにさらに構成され得る。測定レポートは、複数のＴＣＰサブフローの通信リンクのリンクステータス、および／または複数のＴＣＰサブフローに対応するネットワークノードの無線リソースステータスを示すのに使用される。リンク制御ノードは、測定レポートを解析して、リンク調整ポリシーを決定することがある。
【０１３２】
任意選択で、処理ユニット２０１は、ＭＰＴＣＰ接続を使用する２つの通信パーティの通信プロセスにおいて交換されるシグナリングを解析して、ＭＰＴＣＰサブリンクのＭＰＴＣＰリンク情報を獲得するようにさらに構成され得る。
【０１３３】
特に、ネットワークノードは、処理ユニット２０１を使用することによってアクセスユーザのＭＰＴＣＰ接続ステータスを識別し、ＭＰＴＣＰ接続ステータスに対応するＭＰＴＣＰ接続メッセージを生成し、ＭＰＴＣＰ接続メッセージをリンク制御ノードに報告する。ＭＰＴＣＰ接続メッセージは、ネットワークノードのＭＰＴＣＰサブリンクのＭＰＴＣＰリンク情報を搬送する。リンク制御ノードは、ＭＰＴＣＰ接続メッセージによりＭＰＴＣＰ一次リンクおよびＭＰＴＣＰサブリンクの現在のステータスを識別し、リンク制御に適した第１のＭＰＴＣＰサブリンクを選択し、第１のＭＰＴＣＰサブリンクに適用可能な調整方式を決定することがある。
【０１３４】
本発明のこの実施形態において提供されるリンク制御ノードおよびネットワークノードで、システム実行要件は、オペレータ管理および制御ポリシー、アクセスポイントの無線リソースステータス、およびリンク品質ステータスなどの条件により決定されて、リンク調整に適したＭＰＴＣＰサブリンクを選択し、その調整方式を決定することがある。ＭＰＴＣＰ接続上で集中化された管理および制御措置を追加することによって、各ＭＰＴＣＰサブリンク上のデータ伝送プロセスを、予期される通信リンク上で実行することができる。したがって、無線リソースが、適切に割り当てられることができ、システムパフォーマンスを向上することができる。さらに、本発明の実施形態において提供されるリンク制御ノードは、アクセスネットワーク側で柔軟に配置されて、ＭＰＴＣＰ接続を効果的に管理すること、および制御することを行うことがある。
【０１３５】
本発明の実施形態が、リンク制御ノードを提供する。図７が、リンク制御ノードの概略ブロック図を示す。リンク制御ノードは、メモリ３０１と、プロセッサ３０２と、トランシーバ３０３とを含む。
【０１３６】
メモリ３０１は、プロセッサ３０２が以下の動作、すなわち、
ＭＰＴＣＰリンク情報により、ＭＰＴＣＰ接続に属するＭＰＴＣＰサブリンクを識別すること、ＭＰＴＣＰサブリンクから、リンク制御が実行される必要がある第１のＭＰＴＣＰサブリンクを決定すること、および第１のＭＰＴＣＰサブリンクに適用可能な調整方式を決定することを実行することを可能にする命令を記憶するように構成される。
【０１３７】
プロセッサ３０２は、命令を実行するように構成される。
【０１３８】
トランシーバ３０３は、ＭＰＴＣＰ接続を使用する２つの通信パーティにインジケーションメッセージを送信することであって、インジケーションメッセージは、調整方式を実行するよう２つの通信パーティに指示するのに使用される、送信することを行うように構成される。
【０１３９】
ＭＰＴＣＰリンク情報とは、ＭＰＴＣＰ接続のステータスおよびアドレスなどの関係付けられた情報を指す。特定の内容に関して、本発明の他の実施形態における関係付けられた説明を参照されたい。詳細は本明細書で説明されない。
【０１４０】
任意選択で、メモリ３０１は、プロセッサ３０２が、以下の動作、すなわち、２つの通信パーティの通信プロセスにおいて交換されるシグナリングを解析して、ＭＰＴＣＰリンク情報を獲得することを実行することを可能にする命令を記憶するようにさらに構成され得る。
【０１４１】
任意選択で、プロセッサ３０２は、初期ＭＰＴＣＰ接続確立プロセスおよびＴＣＰサブフロー参加プロセスにおける関係付けられたシグナリングを直接リッスンし、解析して、リンク制御ノードを介して通過する任意のＭＰＴＣＰ接続のＭＰＴＣＰリンク情報を獲得してよい。この実施形態は、図２に示されるアプリケーションシナリオに適用可能であり得る。
【０１４２】
任意選択で、トランシーバ３０３は、ＭＰＴＣＰ接続の２つの通信パーティの間の伝送チャネル上でネットワークノードによってリンク制御ノードに送信されたＭＰＴＣＰ接続メッセージを受信してよい。ＭＰＴＣＰ接続メッセージは、ＭＰＴＣＰ接続のステータスを示すのに使用され、ＭＰＴＣＰリンク情報を搬送する。この実施形態は、図３に示されるアプリケーションシナリオに適用可能であり得る。
【０１４３】
任意選択で、メモリ３０１は、プロセッサ３０２が以下の動作、すなわち、ＭＰＴＣＰサブリンクに対応するネットワークノードの無線リソースステータスが第１の事前設定された条件を満たすかどうかを決定すること、および第１の事前設定された条件を満たさないネットワークノードに対応するＭＰＴＣＰサブリンクから、かつオペレータ管理および制御ポリシーにより、ネットワークノードに対応する少なくとも１つのＭＰＴＣＰサブリンクを第１のＭＰＴＣＰサブリンクとして決定することを実行することを可能にする命令を記憶するようにさらに構成され得る。
【０１４４】
任意選択で、メモリ３０１は、プロセッサ３０２が、以下の動作、すなわち、ＭＰＴＣＰサブリンクのリンク品質ステータスが事前設定された第２の条件を満たすかどうかを決定すること、および事前設定された第２の条件を満たさないＭＰＴＣＰサブリンクから、かつオペレータ管理および制御ポリシーにより、少なくとも１つのＭＰＴＣＰサブリンクを第１のＭＰＴＣＰサブリンクとして決定することを実行することを可能にする命令を記憶するようにさらに構成され得る。
【０１４５】
第１のＭＰＴＣＰサブリンクに関する調整方式は、第１のＭＰＴＣＰサブリンクの確立を停止させること、第１のＭＰＴＣＰサブリンクを削除すること、または第１のＭＰＴＣＰサブリンクの優先度を調整することを含み得る。
【０１４６】
特に、メモリ３０１は、プロセッサ３０２が、以下の動作、すなわち、ネットワークノードの無線リソースステータスおよび／またはネットワークノードに対応するＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定することを実行することを可能にする命令を記憶するようにさらに構成され得る。
【０１４７】
特に、メモリ３０１は、プロセッサ３０２が、以下の動作、すなわち、ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定することを実行することを可能にする命令を記憶するようにさらに構成され得る。
【０１４８】
特に、メモリ３０１は、プロセッサ３０２が、以下の動作、すなわち、ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定することを実行することを可能にする命令を記憶するようにさらに構成され得る。
【０１４９】
第１の事前設定された閾値、第２の事前設定された閾値、および第３の事前設定された閾値は、ネットワーク動作要件により決定され、かつデバイス機能プロセスにおけるネットワーク実行ステータスにより調整されることがある。本発明のこの実施形態は、それに対して特別な限定を設定しない。
【０１５０】
任意選択で、メモリ３０１は、プロセッサ３０２が、以下の動作、すなわち、
ＭＰＴＣＰサブリンクに対応するネットワークノードの無線リソースステータスを表すパラメータ値、および／またはＭＰＴＣＰサブリンクのリンク品質ステータスを表すパラメータ値を計算することを実行することを可能にする命令を記憶するようにさらに構成され得る。特定のパラメータ例に関して、装置実施形態における関係付けられた説明を参照されたい。詳細は本明細書で説明されない。
【０１５１】
ＭＰＴＣＰサブリンクの調整方式は、前述された３つの方式に限定されず、このことは、本明細書のこの実施形態に限定されないことが理解され得る。
【０１５２】
任意選択で、メモリ３０１は、プロセッサ３０２が、以下の動作、すなわち、ＭＰＴＣＰサブリンクに対応するネットワークノードの無線リソースステータスを表すパラメータ値、および／またはＭＰＴＣＰサブリンクのリンク品質ステータスを表すパラメータ値を計算することを実行することを可能にする命令を記憶するようにさらに構成され得る。特定のパラメータ例に関して、本発明の他の実施形態における関係付けられた説明を参照されたい。詳細は本明細書で説明されない。
【０１５３】
任意選択で、トランシーバ３０３は、決定された調整方式を示すシグナリングを２つの通信パーティに送信して、第１のＭＰＴＣＰサブリンクを調整するよう２つの通信パーティに指示するように構成されてよく、このことは、第１のＭＰＴＣＰサブリンクの確立を停止させるよう２つの通信パーティに指示すること、または第１のＭＰＴＣＰサブリンクを削除するよう２つの通信パーティに指示すること、または第１のＭＰＴＣＰサブリンクの優先度を調整するよう２つの通信パーティに指示することを含む。特定のシグナリング形態および送信プロセスに関して、装置実施形態における関係付けられた説明を参照されたい。詳細は本明細書で説明されない。
【０１５４】
任意選択で、トランシーバ３０３は、ネットワークノードによってリンク制御ノードに送信された測定レポートを受信してよい。測定レポートは、ネットワークノードに対応するＭＰＴＣＰサブリンクのリンク品質ステータス、および／またはＭＰＴＣＰサブリンクに対応するネットワークノードの無線リソースステータスを示す。
【０１５５】
測定レポートは、ネットワークノードに関する測定レポートであることがあり、またはネットワークノードにアクセスするアクセスユーザ、すなわち、ＵＥに関する測定レポートであることがある。測定レポートにおける内容、および報告方式に関して、本発明の他の実施形態における関係付けられた説明を参照されたい。詳細は本明細書で説明されない。
【０１５６】
任意選択で、本発明の別の実施形態において、メモリ３０１は、プロセッサ３０２が、以下の動作、すなわち、測定レポートによって示される、ＭＰＴＣＰサブリンクのリンク品質ステータス、および／またはＭＰＴＣＰサブリンクに対応するネットワークノードの無線リソースステータスにより、かつオペレータ管理および制御ポリシーにより、リンク調整ポリシーを決定すること、ならびにリンク制御に適した第１のＭＰＴＣＰサブリンクを選択すること、および第１のＭＰＴＣＰサブリンクに適用可能な調整方式を決定することを実行することを可能にする命令を記憶するようにさらに構成され得る。
【０１５７】
リンク調整ポリシーは、第１のＭＰＴＣＰサブリンクを識別するのに使用される第１のＭＰＴＣＰリンク情報と、第１のＭＰＴＣＰサブリンクに関する調整方式を示すのに使用されるコマンド情報とを含み得る。
【０１５８】
第１のＭＰＴＣＰサブリンクは、調整される必要があるＭＰＴＣＰサブリンクであり、かつリンク制御ノードによって管理されるＭＰＴＣＰサブリンクから選択される。第１のＭＰＴＣＰサブリンクは、確立されていないＭＰＴＣＰサブリンク、または確立されている１または複数のＭＰＴＣＰサブリンクであることがある。
【０１５９】
任意選択で、リンク調整ポリシーは、オペレータ管理および制御ポリシーの少なくとも１つの条件、ＭＰＴＣＰサブリンクに対応するネットワークノードの無線リソースステータス、またはＭＰＴＣＰサブリンクのリンクステータスに基づいて決定され得る。特定の内容に関して、本発明の他の実施形態における関係付けられた説明を参照されたい。詳細は本明細書で説明されない。
【０１６０】
前述の３つの条件は、リンク調整ポリシーを設定するための基礎としてランダムに組み合わされることがあり、または別々に使用されることが理解され得る。さらに、ターゲットサブリンク、およびその対応する調整方式をどのように決定するかは、前述の３つの条件に限定されない。ポリシーを設定するための基礎として適切な参照が、システム実行要件により選択され得る。本発明のこの実施形態は、それに対して特別な限定を設定しない。
【０１６１】
任意選択で、本発明の別の実施形態において、メモリ３０１は、プロセッサ３０２が、以下の動作、すなわち、
識別されるべきＭＰＴＣＰサブリンクのＭＰＴＣＰリンク情報を獲得し、識別されるべきＭＰＴＣＰサブリンクを、ＭＰＴＣＰ一次リンクのＭＰＴＣＰリンク情報により、ＭＰＴＣＰ一次リンクとマッチさせ、ＭＰＴＣＰ一次リンクとマッチする識別されるべきＭＰＴＣＰサブリンクを識別されたＭＰＴＣＰサブリンクとして決定すること、ＭＰＴＣＰ一次リンクとマッチするＭＰＴＣＰサブリンクのＭＰＴＣＰリンク情報をＭＰＴＣＰリンク情報テーブルに追加すること、およびＭＰＴＣＰサブリンクの現在のステータス、またはＭＰＴＣＰ一次リンクの現在のステータスが変化した場合、ＭＰＴＣＰリンク情報テーブルを更新することを実行することを可能にする命令を記憶するようにさらに構成され得る。
【０１６２】
メモリ３０１は、ＭＰＴＣＰ一次リンクおよびＭＰＴＣＰサブリンクのＭＰＴＣＰリンク情報を含むＭＰＴＣＰリンク情報テーブルを記憶することがある。
【０１６３】
ＭＰＴＣＰ一次リンクのＭＰＴＣＰリンク情報は、初期ＭＰＴＣＰ接続確立プロセスにおいて２つの通信パーティによって交換されるシグナリングを使用することによって獲得され得る。ＭＰＴＣＰサブリンクのＭＰＴＣＰリンク情報は、ＴＣＰサブフロー参加プロセスにおいて２つの通信パーティによって交換されるシグナリングを使用することによって獲得され得る。
【０１６４】
ＭＰＴＣＰサブリンクを識別する詳細なプロセス、およびＭＰＴＣＰリンク情報テーブルを維持する詳細なプロセスに関して、図５に示される実施形態における説明を参照されたい。詳細は本明細書で説明されない。
【０１６５】
さらに、リンク制御ノードは、アンテナ３０４、バスシステム３０５、および同様のものをさらに含み得る。プロセッサ３０２は、装置の動作を制御し、ＣＰＵ（Ｃｅｎｔｒａｌ  Ｐｒｏｃｅｓｓｉｎｇ  Ｕｎｉｔ、中央処理装置）とさらに呼ばれ得る。メモリ３０１は、読取り専用メモリと、ランダムアクセスメモリとを含むことがあり、プロセッサ３０２に命令およびデータを提供する。メモリ３０１は、不揮発性ランダムアクセスメモリ（ＮＶＲＡＭ）をさらに含み得る。特定のアプリケーションにおいて、トランシーバ３０３が、アンテナ３０４に結合され得る。装置の構成要素が、バスシステム３０５を使用することによって一緒に結合される。データバスに加えて、バスシステム３０５は、電源バス、制御バス、ステータス信号バス、および同様のものをさらに含み得る。しかし、明確な説明のため、図における様々なタイプのバスにバスシステム３０５として印が付けられる。
【０１６６】
本発明の実施形態は、ネットワークノードを提供する。ネットワークノードは、ＭＰＴＣＰサブリンクの伝送パス上に位置付けられ、ＭＰＴＣＰ接続を使用する２つの通信パーティの間でデータ通信をサポートするように構成される。図８は、ネットワークノードのブロック図を示す。ネットワークノードは、メモリ４０１と、プロセッサ４０２と、トランシーバ４０３とを含む。
【０１６７】
メモリ４０１は、プロセッサ４０２が、以下の動作、すなわち、リンク調整ポリシーを決定することであって、リンク調整ポリシーは、ネットワークノードに対応し、かつＭＰＴＣＰ接続に属するＭＰＴＣＰサブリンクから、リンク制御が実行される必要がある第１のＭＰＴＣＰサブリンクを決定するように指示するのに使用され、第１のＭＰＴＣＰサブリンクに適用可能な調整方式を決定することを実行することを可能にする命令を記憶するように構成される。
【０１６８】
トランシーバ４０３は、リンク制御ノードにリンク調整ポリシーを送信するように構成される。
【０１６９】
リンク制御ノードとネットワークノードは、間に直接の、もしくは間接の通信が存在する２つのスタンドアロンの装置であることがあり、または基地局などのエンティティネットワーク要素内に位置付けられる。本発明のこの実施形態は、それに対して特別な限定を設定しない。
【０１７０】
リンク調整ポリシーは、第１のＭＰＴＣＰサブリンクを識別するのに使用される第１のＭＰＴＣＰリンク情報と、調整方式を示すのに使用されるコマンド情報とを含む。
【０１７１】
リンク調整ポリシーの特定の内容、およびポリシーを決定する方法に関して、本発明の他の実施形態における関係付けられた説明を参照されたい。方法は、リンク制御ノードが第１のＭＰＴＣＰサブリンク、およびその対応する調整方式を決定するプロセスと同様である。詳細は本明細書で説明されない。
【０１７２】
第１のＭＰＴＣＰリンク情報は、第１のＭＰＴＣＰサブリンクのアドレス情報を含むことがあり、アドレス情報は、２つの通信パーティのＩＰアドレスおよびポート番号を含む。任意選択で、第１のＭＰＴＣＰリンク情報は、第１のＭＰＴＣＰサブリンクの現在のステータスを表すステータス情報をさらに含むことがあり、ステータス情報は、リンクが利用可能であるか、または利用不能であるかを示す情報と、リンク優先度を示す情報とを含む。
【０１７３】
任意選択で、トランシーバ４０３は、測定レポートをリンク制御ノードに報告するようにさらに構成され得る。測定レポートは、複数のＴＣＰサブフローの通信リンクのリンクステータス、および／または複数のＴＣＰサブフローに対応するネットワークノードの無線リソースステータスを示すのに使用される。リンク制御ノードは、測定レポートを解析して、リンク調整ポリシーを決定することがある。
【０１７４】
任意選択で、プロセッサ４０２は、ＭＰＴＣＰ接続を使用する２つの通信パーティの通信プロセスにおいて交換されるシグナリングを解析して、ＭＰＴＣＰサブリンクのＭＰＴＣＰリンク情報を獲得するようにさらに構成され得る。
【０１７５】
特に、プロセッサ４０２は、アクセスユーザのＭＰＴＣＰ接続ステータスを識別し、ＭＰＴＣＰ接続ステータスに対応するＭＰＴＣＰ接続メッセージを生成し、ＭＰＴＣＰ接続メッセージをリンク制御ノードに報告することがある。ＭＰＴＣＰ接続メッセージは、ネットワークノードのＭＰＴＣＰサブリンクのＭＰＴＣＰリンク情報を搬送する。リンク制御ノードは、ＭＰＴＣＰ接続メッセージによりＭＰＴＣＰ一次リンクおよびＭＰＴＣＰサブリンクの現在のステータスを識別し、リンク制御に適した第１のＭＰＴＣＰサブリンクを選択し、第１のＭＰＴＣＰサブリンクに適用可能な調整方式を決定することがある。
【０１７６】
ネットワークノードは、アンテナ４０４、バスシステム４０５、および同様のものをさらに含み得る。特定の接続関係に関して、図６に示される実施形態における関係付けられた説明を参照されたい。詳細は本明細書で説明されない。
【０１７７】
本発明のこの実施形態において提供されるリンク制御ノードおよびネットワークノードで、システム実行要件は、オペレータ管理および制御ポリシー、アクセスポイントの無線リソースステータス、およびリンク品質ステータスなどの条件により決定されて、リンク調整に適したＭＰＴＣＰサブリンクを選択し、その調整方式を決定することがある。ＭＰＴＣＰ接続上で集中化された管理および制御措置を追加することによって、各ＭＰＴＣＰサブリンク上のデータ伝送プロセスを、予期される通信リンク上で実行することができる。したがって、無線リソースが、適切に割り当てられることができ、システムパフォーマンスを向上することができる。さらに、本発明の実施形態において提供されるリンク制御ノードは、アクセスネットワーク側で柔軟に配置されて、ＭＰＴＣＰ接続を効果的に管理すること、および制御することを行うことがある。
【０１７８】
本発明の実施形態が、リンク制御ノードによって実行され得るリンク制御方法を提供する。リンク制御ノードは、アクセスネットワーク側に配置され得る。
【０１７９】
図９は、ステップＳ５０１からＳ５０３を含む方法の手順を示す。
【０１８０】
Ｓ５０１：リンク制御ノードが、ＭＰＴＣＰリンク情報により、ＭＰＴＣＰ接続に属するＭＰＴＣＰサブリンクを識別する。
【０１８１】
ＭＰＴＣＰリンク情報とは、ＭＰＴＣＰ接続のステータスおよびアドレスなどの関係付けられた情報を指す。特定の内容に関して、本発明の他の実施形態における関係付けられた説明を参照されたい。詳細は本明細書で説明されない。
【０１８２】
任意選択で、リンク制御ノードは、２つの通信パーティの通信プロセスにおいて交換されるシグナリングを解析して、ＭＰＴＣＰリンク情報を獲得する。
【０１８３】
本発明の一実施形態において、リンク制御ノードは、初期ＭＰＴＣＰ接続確立プロセスおよびＴＣＰサブフロー参加プロセスにおける関係付けられたシグナリングを直接リッスンし、解析して、リンク制御ノードを介して通過する任意のＭＰＴＣＰ接続のＭＰＴＣＰリンク情報を獲得することがある。この実施形態は、図２に示されるアプリケーションシナリオに適用可能であり得る。
【０１８４】
本発明の別の実施形態において、ＭＰＴＣＰ接続の２つの通信パーティの間の伝送チャネル上のネットワークノードが、リンク制御ノードにＭＰＴＣＰ接続メッセージを送信することがある。ＭＰＴＣＰ接続メッセージは、ＭＰＴＣＰ接続のステータスを示すのに使用され、ＭＰＴＣＰリンク情報を搬送する。この実施形態は、図３に示されるアプリケーションシナリオに適用可能であり得る。
【０１８５】
Ｓ５０２：リンク制御ノードが、ＭＰＴＣＰサブリンクから、リンク制御が実行される必要がある第１のＭＰＴＣＰサブリンクを決定し、第１のＭＰＴＣＰサブリンクに適用可能な調整方式を決定する。
【０１８６】
Ｓ５０３：リンク制御ノードが、ＭＰＴＣＰ接続を使用する２つの通信パーティにインジケーションメッセージを送信し、インジケーションメッセージは、調整方式を実行するよう２つの通信パーティに指示するのに使用される。
【０１８７】
任意選択で、ステップＳ５０２において、リンク制御ノードが、ＭＰＴＣＰサブリンクに対応するネットワークノードの無線リソースステータスが第１の事前設定された条件を満たすかどうかを決定し、第１の事前設定された条件を満たさないネットワークノードに対応するＭＰＴＣＰサブリンクから、かつオペレータ管理および制御ポリシーにより、ネットワークノードに対応する少なくとも１つのＭＰＴＣＰサブリンクを第１のＭＰＴＣＰサブリンクとして決定することがある。
【０１８８】
任意選択で、ＭＰＴＣＰサブリンクのリンク品質ステータスが事前設定された第２の条件を満たすかどうかが決定されることがあり、事前設定された第２の条件を満たさないＭＰＴＣＰサブリンクから、かつオペレータ管理および制御ポリシーにより、少なくとも１つのＭＰＴＣＰサブリンクが第１のＭＰＴＣＰサブリンクとして決定される。
【０１８９】
第１のＭＰＴＣＰサブリンクに関する調整方式は、第１のＭＰＴＣＰサブリンクの確立を停止させること、第１のＭＰＴＣＰサブリンクを削除すること、または第１のＭＰＴＣＰサブリンクの優先度を調整することを含み得る。
【０１９０】
特に、ネットワークノードの無線リソースステータス、および／またはネットワークノードに対応するＭＰＴＣＰサブリンクのリンク品質ステータスが、ネットワークノードの負荷が第１の事前設定された閾値を超えることを示す場合、調整方式が、第１のＭＰＴＣＰサブリンクがＴＣＰサブフロー参加プロセスを完了することを停止させていると決定され得る。
【０１９１】
特に、ＭＰＴＣＰサブリンクのリンク品質ステータスが、第１のＭＰＴＣＰサブリンクのリンクパフォーマンスが第２の事前設定された閾値より低いことを示し、かつ第１のＭＰＴＣＰサブリンクの現在のステータスが、第１のＭＰＴＣＰサブリンクが利用可能であることを示す場合、調整方式が第１のＭＰＴＣＰサブリンクを削除していると決定され得る。
【０１９２】
特に、ＭＰＴＣＰサブリンクのリンク品質ステータスが、第１のＭＰＴＣＰサブリンクのリンクパフォーマンスが第３の事前設定された閾値より高いことを示し、かつ第１のＭＰＴＣＰサブリンクの現在のステータスが、第１のＭＰＴＣＰサブリンクが二次リンクであることを示す場合、調整方式が第１のＭＰＴＣＰサブリンクの優先度を増加させていると決定され得る。
【０１９３】
第１の事前設定された閾値、第２の事前設定された閾値、および第３の事前設定された閾値は、ネットワーク動作要件により決定され、かつデバイス機能プロセスにおけるネットワーク実行ステータスにより調整されることがある。本発明のこの実施形態は、それに対して特別な限定を設定しない。
【０１９４】
任意選択で、リンク制御ノードは、ＭＰＴＣＰサブリンクに対応するネットワークノードの無線リソースステータスを表すパラメータ値、および／またはＭＰＴＣＰサブリンクのリンク品質ステータスを表すパラメータ値を計算することがある。特定のパラメータ例に関して、装置実施形態における関係付けられた説明を参照されたい。詳細は本明細書で説明されない。
【０１９５】
ＭＰＴＣＰサブリンクの調整方式は、前述された３つの方式に限定されず、このことは、本明細書のこの実施形態に限定されないことが理解され得る。
【０１９６】
任意選択で、ステップＳ５０３において、リンク制御ノードが、シグナリングを介して、第１のＭＰＴＣＰサブリンクを調整するよう２つの通信パーティに指示することがあり、このことは、第１のＭＰＴＣＰサブリンクの確立を停止させるよう２つの通信パーティに指示すること、または第１のＭＰＴＣＰサブリンクを削除するよう２つの通信パーティに指示すること、または第１のＭＰＴＣＰサブリンクの優先度を調整するよう２つの通信パーティに指示することを含む。特定のシグナリング形態および送信プロセスに関して、装置実施形態における関係付けられた説明を参照されたい。詳細は本明細書で説明されない。
【０１９７】
任意選択で、本発明の別の実施形態において、ステップＳ５０１は、ステップＳ５０１１からＳ５０１４を含むことがあり、手順は、図１０に示される。この実施形態は、図２に示されるアプリケーションシナリオに適用可能であり得る。
【０１９８】
Ｓ５０１１：リンク制御ノードが、初期ＭＰＴＣＰ接続確立プロセスにおいてＭＰＴＣＰ接続の２つの通信パーティによって交換されるシグナリングを介してＭＰＴＣＰ一次リンクのＭＰＴＣＰリンク情報を獲得する。
【０１９９】
Ｓ５０１２：リンク制御ノードが、ＭＰＴＣＰリンク情報テーブルを記憶し、ＭＰＴＣＰリンク情報テーブルは、ＭＰＴＣＰ一次リンクのＭＰＴＣＰリンク情報を含む。
【０２００】
Ｓ５０１３：リンク制御ノードが、ＴＣＰサブフロー参加プロセスにおいてＭＰＴＣＰ接続の２つの通信パーティによって交換されるシグナリングを介して識別されるべきＭＰＴＣＰサブリンクのＭＰＴＣＰリンク情報を獲得する。
【０２０１】
Ｓ５０１４：リンク制御ノードが、識別されるべきＭＰＴＣＰサブリンクを、ＭＰＴＣＰ一次リンクのＭＰＴＣＰリンク情報により、ＭＰＴＣＰ一次リンクとマッチさせ、ＭＰＴＣＰ一次リンクとマッチする識別されるべきＭＰＴＣＰサブリンクを識別されたＭＰＴＣＰサブリンクとして決定する。
【０２０２】
Ｓ５０１５：リンク制御ノードが、ＭＰＴＣＰ一次リンクとマッチするＭＰＴＣＰサブリンクのＭＰＴＣＰリンク情報をＭＰＴＣＰリンク情報テーブルに追加する。
【０２０３】
Ｓ５０１６：リンク制御ノードが、ＭＰＴＣＰサブリンクの現在のステータス、またはＭＰＴＣＰ一次リンクの現在のステータスが変化した場合、ＭＰＴＣＰリンク情報テーブルを更新する。
【０２０４】
ＭＰＴＣＰリンク情報テーブルを維持する特定のプロセスに関して、本発明の他の実施形態における関係付けられた説明を参照されたい。詳細は本明細書で説明されない。
【０２０５】
任意選択で、ＭＰＴＣＰリンク情報テーブルは、同一のＭＰＴＣＰ接続のＭＰＴＣＰリンク情報、または複数のＭＰＴＣＰ接続のＭＰＴＣＰリンク情報を含んでよい。リンク制御ノードは、ＭＰＴＣＰ接続のアドレスによって、システムにおけるすべてのＭＰＴＣＰ接続に関係付けられた情報を組み合わせて情報テーブルにして、システム全体における各ＭＰＴＣＰ接続のＭＰＴＣＰ一次リンクおよびサブリンクを管理することがある。
【０２０６】
ＭＰＴＣＰリンク情報テーブルにおいて探索することによって、リンク制御ノードは、処理されるべきＭＰＴＣＰサブリンクとＭＰＴＣＰ一次リンクの間の関連付けを知ることがあり、関連付けは、ＵＥがデータ通信を実行するのに利用可能な現在のＭＰＴＣＰサブリンクがいずれのＭＰＴＣＰ接続に属するかを示す情報、ＵＥがアクセスネットワークにアクセスするのにいずれのネットワークノードを使用するかについての情報、または同様のものを含む。リンク制御ノードは、ＭＰＴＣＰサブリンクのステータスを決定し、適切な処理方式によりＭＰＴＣＰサブリンクを処理する。
【０２０７】
本発明の実施形態が、リンク制御方法をさらに提供する。この実施形態は、図３に示されるアプリケーションシナリオに適用可能であり得る。この実施形態における２つの通信パーティは、ネットワークノード、およびコアネットワーク側のサーバをそれぞれ使用することによってアクセスネットワークにアクセスするＵＥである。
【０２０８】
図１１は、ステップＳ６０１からＳ６０９を含む方法の手順を示す。
【０２０９】
Ｓ６０１：ネットワークノードが、アクセスユーザのＭＰＴＣＰ接続ステータスを識別し、ＭＰＴＣＰ接続ステータスに対応するＭＰＴＣＰ接続メッセージを生成し、ＭＰＴＣＰ接続メッセージは、ＭＰＴＣＰ一次リンクおよび識別されるべきＭＰＴＣＰサブリンクのＭＰＴＣＰリンク情報を含む。
【０２１０】
ネットワークノードがＭＰＴＣＰ接続メッセージを生成するプロセスに関して、図５に示される実施形態における関係付けられた説明を参照されたい。詳細は本明細書で説明されない。
【０２１１】
ネットワークノードは、ＭＰＴＣＰ接続の２つの通信パーティの間の伝送チャネル上に位置付けられ、少なくとも１つのＭＰＴＣＰサブリンクに対応する。すなわち、ＵＥが、ネットワークノードを使用することによってアクセスネットワークにアクセスし、他のパーティの役割をするサーバに対するＭＰＴＣＰ接続を確立する。
【０２１２】
Ｓ６０２：ネットワークノードが、リンク制御ノードにＭＰＴＣＰ接続メッセージを送信する。
【０２１３】
Ｓ６０３：リンク制御ノードが、ＭＰＴＣＰ接続メッセージを受信し、解析することを介してメッセージにおけるＭＰＴＣＰリンク情報を獲得する。
【０２１４】
Ｓ６０４：リンク制御ノードが、ＭＰＴＣＰリンク情報により、ＭＰＴＣＰ接続に属するＭＰＴＣＰサブリンクを識別する。
【０２１５】
特定の識別するプロセスに関して、図９に示される実施形態における関係付けられた内容を参照されたい。詳細は本明細書で説明されない。
【０２１６】
任意選択で、リンク制御ノードが、異なるタイプの複数のＭＰＴＣＰ接続メッセージを受信することがある。複数のＭＰＴＣＰ接続メッセージは、ネットワークノードによって報告され、かつ同一のＭＰＴＣＰ接続に属する複数の異なるＴＣＰサブフローのものである。
【０２１７】
Ｓ６０５：ネットワークノードが、リンク制御ノードに測定レポートを送信し、測定レポートは、ネットワークノードに対応するＭＰＴＣＰサブリンクのリンク品質ステータス、および／またはＭＰＴＣＰサブリンクに対応するネットワークノードの無線リソースステータスを示す。
【０２１８】
任意選択で、測定レポートは、ネットワークノードに関する測定レポートであることがあり、またはネットワークノードにアクセスするアクセスユーザ、すなわち、ＵＥに関する測定レポートであることがある。測定レポートにおける内容、および報告方式に関して、本発明の他の実施形態における関係付けられた説明を参照されたい。詳細は本明細書で説明されない。
【０２１９】
測定レポートは、任意の時点で送信されてよく、例えば、方法が実行される前に、またはステップＳ６０１からＳ６０４が実行されるのと同時に送信されてよいことが理解され得る。この実施形態におけるステップのシーケンスは、例示的であるに過ぎず、これは、本発明のこの実施形態に対する限定として解釈されるべきではない。
【０２２０】
Ｓ６０６：リンク制御ノードが、測定レポートによって示される、ＭＰＴＣＰサブリンクのリンク品質ステータス、および／またはＭＰＴＣＰサブリンクに対応するネットワークノードの無線リソースステータスにより、かつオペレータ管理および制御ポリシーにより、リンク調整ポリシーを決定する。
【０２２１】
リンク調整ポリシーは、第１のＭＰＴＣＰサブリンクを識別するのに使用される第１のＭＰＴＣＰリンク情報と、第１のＭＰＴＣＰサブリンクに関する調整方式を示すのに使用されるコマンド情報とを含み得る。
【０２２２】
第１のＭＰＴＣＰサブリンクは、調整される必要があるＭＰＴＣＰサブリンクであり、かつリンク制御ノードによって管理されるＭＰＴＣＰサブリンクから選択される。第１のＭＰＴＣＰサブリンクは、確立されていないＭＰＴＣＰサブリンク、または確立されている１または複数のＭＰＴＣＰサブリンクであることがある。
【０２２３】
任意選択で、リンク調整ポリシーは、オペレータ管理および制御ポリシーの少なくとも１つの条件、ＭＰＴＣＰサブリンクに対応するネットワークノードの無線リソースステータス、またはＭＰＴＣＰサブリンクのリンクステータスに基づいて決定されてよい。
【０２２４】
任意選択で、リンク制御ノードは、オペレータ管理および制御ポリシーによりリンク調整ポリシーを決定してよい。オペレータ管理および制御ポリシーは、システム負荷バランシング、リンクリソース利用、およびアカウンティングポリシーを確実にし、かつネットワーク全体上のオペレータの管理および制御傾向を表す項目を含む。
【０２２５】
任意選択で、リンク制御ノードは、無線リソースステータスの計算結果によりリンク調整ポリシーをさらに決定してよく、このことは、リンク制御が実行される必要があるネットワークノードを決定すること、およびネットワークノードに対応する少なくとも１つのＭＰＴＣＰサブリンクを選択して、ステータス調整を実行することを含む。
【０２２６】
任意選択で、リンク制御ノードは、リンク品質ステータスの計算結果によりリンク調整ポリシーをさらに決定してよく、このことは、少なくとも１つのＭＰＴＣＰサブリンクのリンク品質ステータスが事前設定された条件を満たすかどうかを決定すること、および事前設定された条件を満たさないＭＰＴＣＰサブリンクから少なくとも１つのＭＰＴＣＰサブリンクを選択して、ステータス調整を実行することを含む。
【０２２７】
前述の３つの条件は、リンク調整ポリシーを設定するための基礎としてランダムに組み合わされることがあり、または別々に使用されることが理解され得る。さらに、ターゲットサブリンク、およびその対応する調整方式をどのように決定するかは、前述の３つの条件に限定されない。ポリシーを設定するための基礎として適切な参照が、システム実行要件により選択され得る。本発明のこの実施形態は、それに対して特別な限定を設定しない。
【０２２８】
リンク制御ノードは、ネットワークノードによって報告される無線リソースステータスまたはリンク品質ステータスによりさらに計算して、より正確な参照を獲得してよい。特定の計算プロセスに関して、従来技術における関係付けられた内容を参照されたい。本発明のこの実施形態において詳細が説明されることはない。
【０２２９】
リンク調整ポリシーにおける詳細な内容に関して、本発明の他の実施形態における関係付けられた説明を参照されたい。詳細は本明細書で説明されない。
【０２３０】
リンク調整ポリシーのフォーマットおよび内容は限定されず、ＭＰＴＣＰ一次リンクおよびＭＰＴＣＰサブリンクのアドレス、ステータス情報、および特定の処理方式を含み得ることに留意されたい。
【０２３１】
Ｓ６０７：リンク調整ポリシーにより、リンク制御ノードが、リンク制御に適した第１のＭＰＴＣＰサブリンクを選択し、第１のＭＰＴＣＰサブリンクに適用可能な調整方式を決定する。
【０２３２】
特に、リンク制御ノードは、識別されたＭＰＴＣＰサブリンクにおいて、第１のＭＰＴＣＰサブリンクを識別するのに使用され、かつリンク調整ポリシーに含められた第１のＭＰＴＣＰリンク情報により探索し、ＭＰＴＣＰリンク情報が第１のＭＰＴＣＰリンク情報と同一であるＭＰＴＣＰサブリンクを第１のＭＰＴＣＰサブリンクとして使用することがある。
【０２３３】
Ｓ６０８：第１のＭＰＴＣＰサブリンクに適用可能な調整方式を示し、かつリンク調整ポリシーに含められたコマンド情報により、リンク制御ノードが、調整方式を示すシグナリングをＵＥとサーバに別々に送信する。
【０２３４】
Ｓ６０９：ＵＥおよびサーバが、受信されたシグナリングを実行して、第１のＭＰＴＣＰサブリンクを調整する。
【０２３５】
リンク調整方式のタイプ、およびリンクを調整する方法に関して、本発明の他の実施形態における関係付けられた説明を参照されたい。詳細は本明細書で説明されない。
【０２３６】
任意選択で、本発明の別の実施形態において、ネットワークノードが、リンク調整ポリシーを決定し、それをリンク制御ノードに送信してよく、リンク制御ノードは、記憶されたＭＰＴＣＰリンク情報におけるＭＰＴＣＰサブリンクの現在のステータスにより、ポリシーを実行する特定の方式、例えば、既に選択されたリンクを調整するのにいずれのシグナリングを送信するかの方式を決定する。ネットワークノードがリンク調整ポリシーをどのように決定するかの特定のプロセスに関して、本発明の他の実施形態における関係付けられた説明を参照されたい。詳細は本明細書で説明されない。
【０２３７】
任意選択で、リンク制御ノードは、ネットワークノードによって報告される初期ポリシー、ならびにリンクステータスおよび／または無線リソースステータスを受信し、リンクステータスもしくは無線リソースステータスを計算し、ネットワークノードによって報告されるリンクステータスもしくは無線リソースステータス、および初期ポリシーにより最良の選択を行ってよい。
【０２３８】
本発明のこの実施形態において提供されるリンク制御方法で、システム実行要件は、オペレータ管理および制御ポリシー、アクセスポイントの無線リソースステータス、およびリンク品質ステータスなどの条件により決定されて、リンク調整に適したＭＰＴＣＰサブリンクを選択し、その調整方式を決定することがある。ＭＰＴＣＰ接続上で集中化された管理および制御措置を追加することによって、各ＭＰＴＣＰサブリンク上のデータ伝送プロセスを、予期される通信リンク上で実行することができる。したがって、無線リソースが、適切に割り当てられることができ、システムパフォーマンスを向上することができる。さらに、本発明の実施形態において提供されるリンク制御ノードは、アクセスネットワーク側で柔軟に配置されて、ＭＰＴＣＰ接続を効果的に管理すること、および制御することを行うことがある。
【０２３９】
本発明の実施形態が、図５または図７に示されるリンク制御ノードと、図６または図８に示されるネットワークノードとを含む通信システムをさらに提供する。２つのデバイスが、有線方式またはワイヤレス方式で接続されて、直接の通信または間接の通信を実行する。システムにおけるデバイスの機能および構造の詳細な説明に関して、本発明の他の実施形態における関係付けられた説明を参照されたい。詳細は本明細書で説明されない。
【０２４０】
容易で簡単な説明のために、前述のシステム、装置、および方法の詳細な機能プロセスは、互いに対する参照を提供し、互いを補完することが当業者によって明確に理解され得る。例えば、図５または図７に示されるリンク制御ノード、および図６または図８に示されるネットワークノードが、図９から図１１に示されるいずれかの実施形態に示されるリンク制御方法を実行するように構成され得る。図９から図１１に示されるいずれかの実施形態に示されるリンク制御方法は、図１２に示される実施形態における通信システムにおいて実施され得る。詳細は本明細書で説明されない。
【０２４１】
実施形態の前述の説明に基づいて、当業者は、本発明が、必要な汎用ハードウェアプラットフォームに加えてソフトウェアによって、またはハードウェアだけによって実施され得ることを明確に理解し得る。ほとんどの状況において、前者が好ましい実施方式である。そのような理解に基づいて、基本的に本発明の技術的ソリューション、または従来技術に寄与する部分は、ソフトウェア製品の形態で実施され得る。ソフトウェア製品は、ストレージメディアに記憶され、本発明の実施形態において説明される方法のステップのすべてまたはいくつかを実行するようコンピュータデバイス（パーソナルコンピュータ、サーバ、またはネットワークデバイスであり得る）に指示するためのいくつかの命令を含む。前述のストレージメディアは、ＵＳＢフラッシュドライブ、リムーバブルハードディスク、読取り専用メモリ（ＲＯＭ）、ランダムアクセスメモリ（ＲＡＭ）、磁気ディスク、または光ディスクなどのプログラムコードを記憶することができる任意のメディアを含む。
【０２４２】
本出願において提供されるいくつかの実施形態において、開示される装置、システム、および方法は、他の方式で実施され得ることを理解されたい。例えば、説明される装置実施形態は、例示的であるに過ぎない。例えば、モジュール分割またはユニット分割は、論理的機能分割であるに過ぎず、実際の実施方式において他の分割であってよい。例えば、複数のユニットまたは構成要素が、組み合わされて、もしくは統合されて別のシステムにされることがあり、またはいくつかの特徴が、無視されること、もしくは実行されないことがある。別々の部分として説明されるユニットは、物理的に別々であることがあり、またはそうでないこともあり、ユニットとして表示される部分が、物理的ユニットであることがあり、またはそうでないこともあり、１つの位置に位置付けられることがあり、または複数のネットワークユニット上に分散されることがある。モジュールのいくつか、またはすべてが、実施形態のソリューションの目的を実現する実際の必要性に応じて選択され得る。当業者は、独創的な取組みなしに本発明の実施形態を理解し、かつ実施し得る。
【０２４３】
さらに、本明細書における装置、システム、および方法、ならびに異なる実施形態の概略図は、本出願の範囲を逸脱することなく、他のシステム、モジュール、技術、または方法と組み合わされる、または統合されることができる。さらに、表示される、もしくは説明される相互結合または直接結合もしくは通信接続は、いくつかのインターフェースを介して実施され得る。基地局の間、またはユニットの間の間接結合もしくは通信接続は、電子形態、機械形態、または他の形態で実施され得る。
【０２４４】
前述の説明は、本発明の特定の実施方式に過ぎないが、本発明の保護範囲を限定するように意図されない。本発明において開示される技術範囲内で当業者によって容易に考え出されるいずれの変形または置換も、本発明の保護範囲に入るものとする。したがって、本発明の保護範囲は、特許請求の範囲の保護範囲の対象とされるものとする。
【図１】
0006573658.tif 000004
【図２】
0006573658.tif 000005
【図３】
0006573658.tif 000006
【図４】
0006573658.tif 000007
【図５】
0006573658.tif 000008
【図６】
0006573658.tif 000009
【図７】
0006573658.tif 000010
【図８】
0006573658.tif 000011
【図９】
0006573658.tif 000012
【図１０】
0006573658.tif 000013
【図１１】
0006573658.tif 000014
【図１２】
0006573658.tif 000015